(57)【要約】  無線通信システムにおけるＰＤＳＣＨ（ｐｈｙｓｉｃａｌ  ｄｏｗｎｌｉｎｋ  ｃｏｎｔｒｏｌ  ｃｈａｎｎｅｌ）（または、部分サブフレーム）の長さを決定する方法及び装置が提供される。端末（ＵＥ；ｕｓｅｒ  ｅｑｕｉｐｍｅｎｔ）は、認可されていない搬送波でＰＤＳＣＨの開始ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルまたは最後ＯＦＤＭシンボルのうち、少なくとも１つを探知し、前記認可されていない搬送波で前記ＰＤＳＣＨの開始ＯＦＤＭシンボルまたは最後ＯＦＤＭシンボルのうち、少なくとも１つに基づいて、前記認可されていない搬送波で前記ＰＤＳＣＨの長さを決定する。前記端末は、ＰＤＣＣＨ（ｐｈｙｓｉｃａｌ  ｄｏｗｎｌｉｎｋ  ｃｏｎｔｒｏｌ  ｃｈａｎｎｅｌ）または参照信号（ＲＳ；ｒｅｆｅｒｅｎｃｅ  ｓｉｇｎａｌ）パターンに基づいて、前記ＰＤＳＣＨの開始ＯＦＤＭシンボルまたは最後ＯＦＤＭシンボルのうち、少なくとも１つを探知できる。【選択図】図６
2017526210.tif 000002
【特許請求の範囲】
【請求項１】
無線通信システムにおける端末（ＵＥ；ｕｓｅｒ  ｅｑｕｉｐｍｅｎｔ）によるＰＤＳＣＨ（ｐｈｙｓｉｃａｌ  ｄｏｗｎｌｉｎｋ  ｃｏｎｔｒｏｌ  ｃｈａｎｎｅｌ）の長さを決定する方法であって、
認可されていない搬送波でＰＤＳＣＨの開始ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルまたは最後ＯＦＤＭシンボルのうち、少なくとも１つを探知することと、
前記認可されていない搬送波で前記ＰＤＳＣＨの開始ＯＦＤＭシンボルまたは最後ＯＦＤＭシンボルのうち、少なくとも１つに基づいて、前記認可されていない搬送波で前記ＰＤＳＣＨの長さを決定することを含む、方法。
【請求項２】
前記開始ＯＦＤＭシンボルまたは最後ＯＦＤＭシンボルのうち、少なくとも１つは、ＰＤＣＣＨ（ｐｈｙｓｉｃａｌ  ｄｏｗｎｌｉｎｋ  ｃｏｎｔｒｏｌ  ｃｈａｎｎｅｌ）のブラインド探知に基づいて探知される、請求項１に記載の方法。
【請求項３】
前記開始ＯＦＤＭシンボルまたは最後ＯＦＤＭシンボルのうち、少なくとも１つは、前記ＰＤＣＣＨを介して受信されたＤＣＩ（ｄｏｗｎｌｉｎｋ  ｃｏｎｔｒｏｌ  ｉｎｆｏｒｍａｔｉｏｎ）に基づいて探知される、請求項２に記載の方法。
【請求項４】
前記ＰＤＣＣＨの開始ＯＦＤＭシンボルは、固定された、請求項２に記載の方法。
【請求項５】
前記ＰＤＣＣＨに対して互いに異なるスクランブリングまたはＣＲＣ（ｃｙｃｌｉｃ  ｒｅｄｕｎｄａｎｃｙ  ｃｈｅｃｋ）が使用される、請求項２に記載の方法。
【請求項６】
前記開始ＯＦＤＭシンボルまたは最後ＯＦＤＭシンボルのうち、少なくとも１つは、前記ＰＤＣＣＨのスクランブリングのために使用される、請求項２に記載の方法。
【請求項７】
前記開始ＯＦＤＭシンボルまたは最後ＯＦＤＭシンボルのうち、少なくとも１つは、参照信号（ＲＳ；ｒｅｆｅｒｅｎｃｅ）パターンに基づいて探知される、請求項１に記載の方法。
【請求項８】
前記ＲＳパターンは、ＣＲＳ（ｃｅｌｌ−ｓｐｅｃｉｆｉｃ  ＲＳ）パターンまたはＵＥ特定ＲＳパターンである、請求項７に記載の方法。
【請求項９】
前記ＲＳパターンは、ＣＲＳパターンまたはＵＥ特定ＲＳパターンのミラーリングされたＲＳパターンである、請求項７に記載の方法。
【請求項１０】
前記ＰＤＳＣＨの長さは、前記ＰＤＳＣＨの開始ＯＦＤＭシンボルからサブフレームの最後ＯＦＤＭシンボルまでの長さとして決定される、請求項７に記載の方法。
【請求項１１】
前記ＰＤＳＣＨの長さは、サブフレームの最初ＯＦＤＭシンボルから前記最後ＯＦＤＭシンボルまでの距離として決定される、請求項７に記載の方法。
【請求項１２】
前記開始ＯＦＤＭシンボルまたは最後ＯＦＤＭシンボルのうち、少なくとも１つは、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）のブラインド探知に基づいて探知される、請求項１に記載の方法。
【請求項１３】
前記開始ＯＦＤＭシンボルまたは最後ＯＦＤＭシンボルのうち、少なくとも１つは、ＥＰＤＣＣＨ（ｅｎｈａｎｃｅｄ  ＰＤＣＣＨ）のブラインド探知に基づいて探知される、請求項１に記載の方法。
【請求項１４】
ＤＣＩ指示子を含む発見参照信号（ＤＲＳ；ｄｉｓｃｏｖｅｒｙ  ｒｅｆｅｒｅｎｃｅ  ｓｉｇｎａｌ）を受信することをさらに含み、
前記ＤＣＩ指示子は、前記ＵＥが現在のＤＲＳの場合と次のＤＲＳ場合との間でスケジューリングされるか否かに関する情報を表す、請求項１に記載の方法。
【請求項１５】
端末（ＵＥ；ｕｓｅｒ  ｅｑｕｉｐｍｅｎｔ）であって、
メモリと、
送受信部と、
前記メモリと前記送受信部とに連結されたプロセッサと、
を備え、
前記プロセッサは、
認可されていない搬送波でＰＤＳＣＨの開始ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルまたは最後ＯＦＤＭシンボルのうち、少なくとも１つを探知し、
前記認可されていない搬送波で前記ＰＤＳＣＨの開始ＯＦＤＭシンボルまたは最後ＯＦＤＭシンボルのうち、少なくとも１つに基づいて、前記認可されていない搬送波で前記ＰＤＳＣＨの長さを決定するように構成される、端末。
【発明の詳細な説明】
【技術分野】
【０００１】
本発明は、無線通信に関し、より詳細には、無線通信システムにおけるブラインド探知（ｂｌｉｎｄ  ｄｅｔｅｃｔｉｏｎ）を行う方法及び装置に関する。
【背景技術】
【０００２】
３ＧＰＰ ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
データ送信率に対する要求が増加するにつれて、新しいスペクトル及び／又はより高いデータ送信率を活用／探求することが必須なこととなった。有望な候補の１つとして、５ＧＨｚのＵ−ＮＩＩ（ｕｎｌｉｃｅｎｓｅｄ  ｎａｔｉｏｎａｌ  ｉｎｆｏｒｍａｔｉｏｎ  ｉｎｆｒａｓｔｒｕｃｔｕｒｅ）無線帯域のような認可されていない（ｕｎｌｉｃｅｎｓｅｄ）スペクトルを活用することが考慮されている。認可されていないスペクトルで効率的に運営するための方法が要求され得る。
【発明の概要】
【発明が解決しようとする課題】
【０００４】
本発明は、無線通信システムにおけるブラインド探知を行う方法及び装置を提供する。本発明は、開始ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルまたは最後ＯＦＤＭシンボルの探知に基づいて認可されていない搬送波で部分サブフレームの長さを決定する方法及び装置を提供する。
【課題を解決するための手段】
【０００５】
一態様において、無線通信システムにおける端末（ＵＥ；ｕｓｅｒ  ｅｑｕｉｐｍｅｎｔ）によるＰＤＳＣＨ（ｐｈｙｓｉｃａｌ  ｄｏｗｎｌｉｎｋ  ｃｏｎｔｒｏｌ  ｃｈａｎｎｅｌ）の長さを決定する方法が提供される。前記方法は、認可されていない搬送波でＰＤＳＣＨの開始ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルまたは最後ＯＦＤＭシンボルのうち、少なくとも１つを探知し、及び前記認可されていない搬送波で前記ＰＤＳＣＨの開始ＯＦＤＭシンボルまたは最後ＯＦＤＭシンボルのうち、少なくとも１つに基づいて、前記認可されていない搬送波で前記ＰＤＳＣＨの長さを決定することを含む。
【０００６】
他の態様において、端末（ＵＥ；ｕｓｅｒ  ｅｑｕｉｐｍｅｎｔ）が提供される。前記端末は、メモリ、送受信部、及び前記メモリと前記送受信部とに連結されたプロセッサを備える。前記プロセッサは、認可されていない搬送波でＰＤＳＣＨの開始ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルまたは最後ＯＦＤＭシンボルのうち、少なくとも１つを探知し、及び前記認可されていない搬送波で前記ＰＤＳＣＨの開始ＯＦＤＭシンボルまたは最後ＯＦＤＭシンボルのうち、少なくとも１つに基づいて、前記認可されていない搬送波で前記ＰＤＳＣＨの長さを決定するように構成される。
【発明の効果】
【０００７】
適切な運送ブロックサイズ（ＴＢＳ；ｔｒａｎｓｐｏｒｔ  ｂｌｏｃｋ  ｓｉｚｅ）が決定され得るし、正しいデータ復号化が可能になり得る。
【図面の簡単な説明】
【０００８】
【図１】無線通信システムを示す。
【図２】３ＧＰＰ  ＬＴＥの無線フレームの構造を示す。
【図３】１つのＤＬスロットに対する資源グリッド（ｒｅｓｏｕｒｃｅ  ｇｒｉｄ）を示す。
【図４】ＤＬサブフレームの構造を示す。
【図５】ＵＬサブフレームの構造を示す。
【図６】本発明の実施形態によって認可されていない搬送波内でＰＤＳＣＨの長さを決定するための方法の例を見せる。
【図７】現在のＣＲＳパターンの例を見せる。
【図８】現在のＵＥ特定ＲＳパターンの一例を見せる。
【図９】現在のＵＥ特定ＲＳパターンのさらに他の例を見せる。
【図１０】ＵＥ特定ＲＳパターンのさらに他の例を見せる。
【図１１】本発明の実施形態に係る部分サブフレームに対するＣＲＳパターンの一例を見せる。
【図１２】本発明の実施形態に係る部分サブフレームに対するＣＲＳパターンのさらに他の例を見せる。
【図１３】本発明の実施形態に係る部分サブフレームに対するＣＲＳパターンのさらに他の例を見せる。
【図１４】本発明の実施形態に係る部分サブフレームに対してミラーリングされたＵＥ特定ＲＳパターンの例を見せる。
【図１５】本発明の実施形態に係る部分サブフレームに対するミラーリングされたＵＥ特定ＲＳパターンのさらに他の例を見せる。
【図１６】本発明の実施形態に係る部分サブフレームに対するミラーリングされたＵＥ特定ＲＳパターンのさらに他の例を見せる。
【図１７】本発明の実施形態に係る部分サブフレームに対するミラーリングされたＵＥ特定ＲＳパターンのさらに他の例を見せる。
【図１８】本発明の実施形態に係る部分サブフレームに対するミラーリングされたＵＥ特定ＲＳパターンのさらに他の例を見せる。
【図１９】本発明の実施形態に係る部分サブフレームに対するミラーリングされたＣＲＳパターンの一例を見せる。
【図２０】本発明の実施形態に係る部分サブフレームに対するＣＲＳパターンのさらに他の例を見せる。
【図２１】本発明の実施形態に係る部分サブフレームに対するＣＲＳパターンのさらに他の例を見せる。
【図２２】本発明の実施形態に係る部分サブフレームに対するＣＲＳパターンのさらに他の例を見せる。
【図２３】本発明の実施形態に係る部分サブフレームに対するＣＲＳパターンのさらに他の例を見せる。
【図２４】本発明の実施形態に係る部分サブフレームに対するＣＲＳパターンのさらに他の例を見せる。
【図２５】本発明の実施形態に係る部分サブフレームに対するＣＲＳパターンのさらに他の例を見せる。
【図２６】本発明の実施形態に係る部分サブフレームに対するＣＲＳパターンのさらに他の例を見せる。
【図２７】本発明の実施形態に係る部分サブフレームに対するＣＲＳパターンのさらに他の例を見せる。
【図２８】本発明の実施形態に係る部分サブフレームに対するＣＲＳパターンのさらに他の例を見せる。
【図２９】本発明の実施形態に係る部分サブフレームに対するＣＲＳパターンのさらに他の例を見せる。
【図３０】本発明の実施形態に係る部分サブフレームに対するＣＲＳパターンのさらに他の例を見せる。
【図３１】本発明の実施形態が実現される無線通信システムを示す。
【発明を実施するための形態】
【０００９】
以下において説明される技術、装置、及びシステムは、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような種々の無線通信システムに使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）として実現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術として実現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術として実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、ダウンリンク（ＤＬ；ｄｏｗ  ｎ  ｌｉｎｋ）でＯＦＤＭＡを採用し、アップリンク（ＵＬ；ｕｐｌｉｎｋ）でＳＣ−ＦＤＭＡを採用する。ＬＴＥ−Ａ（ａｄｖａｎｃｅｄ）は、３ＧＰＰ  ＬＴＥの進化である。説明を明確にするために、本明細書は、３ＧＰＰ  ＬＴＥ／ＬＴＥ−Ａに焦点を合わせる。しかし、本発明の技術的特徴がこれに制限されるものではない。
【００１０】
図１は、無線通信システムを示す。無線通信システム１０は、少なくとも１つのｅＮＢ（１１；ｅｖｏｌｖｅｄ  ＮｏｄｅＢ）を含む。各ｅＮＢ（１１）は、特定の地理的領域（一般に、セルという）１５ａ、１５ｂ、１５ｃに対して通信サービスを提供する。各セルは、さらに複数の領域（セクタという）に分けられることができる。端末（１２；ＵＥ；ｕｓｅｒ  ｅｑｕｉｐｍｅｎｔ）は、固定されるか、移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語と呼ばれることができる。ｅＮＢ（１１）は一般に、ＵＥ（１２）と通信する固定された地点をいい、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語と呼ばれることができる。
【００１１】
ＵＥは、通常１つのセルに属するが、ＵＥが属したセルをサービングセル（ｓｅｒｖｉｎｇ  ｃｅｌｌ）という。サービングセルに対して通信サービスを提供するｅＮＢをサービングｅＮＢという。無線通信システムは、セルラーシステムであるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するｅＮＢを隣接ｅＮＢという。サービングセル及び隣接セルは、ＵＥを基準として相対的に決定される。
【００１２】
この技術は、ＤＬまたはＵＬに使用されることができる。一般に、ＤＬは、ｅＮＢ（１１）からＵＥ（１２）への通信を意味し、ＵＬは、ＵＥ（１２）からｅＮＢ（１１）への通信を意味する。ＤＬにおいて送信機は、ｅＮＢ（１１）の一部であり、受信機は、ＵＥ（１２）の一部でありうる。ＵＬにおいて送信機は、ＵＥ（１２）の一部であり、受信機は、ｅＮＢ（１１）の一部でありうる。
【００１３】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか１つでありうる。ＭＩＭＯシステムは、複数の送信アンテナと複数の受信アンテナを使用する。ＭＩＳＯシステムは、複数の送信アンテナと１つの受信アンテナを使用する。ＳＩＳＯシステムは、１つの送信アンテナと１つの受信アンテナを使用する。ＳＩＭＯシステムは、１つの送信アンテナと複数の受信アンテナを使用する。以下において、送信アンテナは、１つの信号またはストリームを送信するのに使用される物理的または論理的アンテナを意味し、受信アンテナは、１つの信号またはストリームを受信するのに使用される物理的または論理的アンテナを意味する。
【００１４】
図２は、３ＧＰＰ  ＬＴＥの無線フレームの構造を示す。図２に示すように、無線フレームは、１０個のサブフレームを含む。サブフレームは、時間領域で２個のスロットを含む。１つのサブフレームを送信するのにかかる時間は、ＴＴＩ（ｔｒａｎｓｍｉｓｓｉｏｎ  ｔｉｍｅ  ｉｎｔｅｒｖａｌ）として定義される。例えば、１つのサブフレームの長さは１ｍｓでありうるし、１つのスロットの長さは０．５ｍｓでありうる。１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥがＤＬでＯＦＤＭＡを使用するので、ＯＦＤＭシンボルは、１つのシンボル区間を表現するためのものである。ＯＦＤＭシンボルは、多重接続方式によって他の名称と呼ばれることができる。例えば、ＵＬ多重接続方式としてＳＣ−ＦＤＭＡが使用される場合、ＳＣ−ＦＤＭＡシンボルということができる。資源ブロック（ＲＢ；ｒｅｓｏｕｒｃｅ  ｂｌｏｃｋ）は、資源割当単位であって、１つのスロットで複数の連続する副搬送波を含む。前記無線フレームの構造は、一例に過ぎないものである。したがって、無線フレームに含まれるサブフレームの個数やサブフレームに含まれるスロットの個数、またはスロットに含まれるＯＦＤＭシンボルの個数は様々に変更されることができる。
【００１５】
無線通信システムは、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに大別することができる。ＦＤＤ方式によれば、ＵＬ送信とＤＬ送信とが互いに異なる周波数帯域を占めながらなされる。ＴＤＤ方式によれば、ＵＬ送信とＤＬ送信とが同じ周波数帯域を占めながら互いに異なる時間になされる。ＴＤＤ方式のチャネル応答は、実質的に相互的（ｒｅｃｉｐｒｏｃａｌ）である。これは、与えられた周波数領域でＤＬチャネル応答とＵＬチャネル応答とがほとんど同一であるということである。したがって、ＴＤＤに基盤した無線通信システムでＤＬチャネル応答は、ＵＬチャネル応答から得られることができるという長所がある。ＴＤＤ方式は、全体周波数帯域をＵＬ送信とＤＬ送信のために時分割するので、ＢＳによるＤＬ送信とＵＥによるＵＬ送信とが同時に行われることができない。ＵＬ送信とＤＬ送信とがサブフレーム単位に区分されるＴＤＤシステムにおいて、ＵＬ送信とＤＬ送信とは互いに異なるサブフレームで行われる。
【００１６】
図３は、１つのＤＬスロットに対する資源グリッド（ｒｅｓｏｕｒｃｅ  ｇｒｉｄ）を示す。図３に示すように、ＤＬスロットは、時間領域で複数のＯＦＤＭシンボルを含む。ここで、１つのＤＬスロットは、７ＯＦＤＭシンボルを含み、１つのＲＢは、周波数領域で１２副搬送波を含むことを例示的に記述するが、これに制限されるものではない。資源グリッド上の各要素を資源要素（ｒｅｓｏｕｒｃｅ  ｅｌｅｍｅｎｔ）という。１つのＲＢは、７×１２資源要素を含む。ＤＬスロットに含まれる資源ブロックの数ＮＤＬは、ＤＬ送信帯域幅に従属する。ＵＬスロットの構造もＤＬスロットの構造と同様でありうる。ＯＦＤＭシンボルの数と副搬送波の数とは、ＣＰの長さ、周波数間隔などによって様々に変更されることができる。例えば、ノーマルＣＰの場合、ＯＦＤＭシンボルの数は７であり、拡張ＣＰの場合、ＯＦＤＭシンボルの数は６である。１つのＯＦＤＭシンボルで副搬送波の数は１２８、２５６、５１２、１０２４、１５３６、及び２０４８のうちの１つを選定して使用することができる。
【００１７】
図４は、ＤＬサブフレームの構造を示す。図４に示すように、サブフレーム内の１番目のスロットの先行した最大３ＯＦＤＭシンボルは、制御チャネルが割り当てられる制御領域である。残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域に対応する。３ＧＰＰ  ＬＴＥで使用されるＤＬ制御チャネルの例示として、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）、ＰＨＩＣＨ（ｐｈｙｓｉｃａｌ  ＨＡＲＱ  ｉｎｄｉｃａｔｏｒ  ｃｈａｎｎｅｌ）などを含む。ＰＣＦＩＣＨは、サブフレームの１番目のＯＦＤＭシンボルで送信され、サブフレーム内で制御チャネルの送信に使用されるＯＦＤＭシンボルの個数と関連した情報を運ぶ。ＰＨＩＣＨは、ＵＬ送信に対する応答であり、ＨＡＲＱ（ｈｙｂｒｉｄ  ａｕｔｏｍａｔｉｃ  ｒｅｐｅａｔ  ｒｅｑｕｅｓｔ）  ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）信号を運ぶ。ＰＤＣＣＨを介して送信される制御情報は、ＤＣＩ（ｄｏｗｎｌｉｎｋ  ｃｏｎｔｒｏｌ  ｉｎｆｏｒｍａｔｉｏｎ）である。ＤＣＩは、ＵＬまたはＤＬスケジューリング情報、若しくは任意のＵＥグループのためのＵＬ送信電力制御（ＴＰＣ；ｔｒａｎｓｍｉｔ  ｐｏｗｅｒ  ｃｏｎｔｒｏｌ）命令を含む。
【００１８】
ＰＤＣＣＨは、ＤＬ−ＳＣＨ（ｄｏｗｎｌｉｎｋ−ｓｈａｒｅｄ  ｃｈａｎｎｅｌ）の資源割当及び送信フォーマット、ＵＬ−ＳＣＨ（ｕｐｌｉｎｋ  ｓｈａｒｅｄ  ｃｈａｎｎｅｌ）の資源割当情報、ページングチャネル上のページング情報、ＤＬ−ＳＣＨ上のシステム情報、ＰＤＳＣＨ上に送信されるランダムアクセス応答のような上位層制御メッセージの資源割当、任意のＵＥグループ内の個別ＵＥに対するＴＰＣ命令の集合及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で送信され得る。ＵＥは、複数のＰＤＣＣＨをモニタリングできる。ＰＤＣＣＨは、１つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に送信される。ＣＣＥは、無線チャネルの状態による符号化率を有するＰＤＣＣＨを提供するために使用される論理的割当単位である。ＣＣＥは、複数のＲＥＧ（ｒｅｓｏｕｒｃｅ  ｅｌｅｍｅｎｔ  ｇｒｏｕｐ）に対応する。
【００１９】
ＣＣＥの数とＣＣＥにより提供される符号化率の関連関係によってＰＤＣＣＨのフォーマット及び可能なＰＤＣＣＨのビット数が決定される。ＢＳは、ＵＥに送信しようとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付着する。ＣＲＣは、ＰＤＣＣＨの所有者（ｏｗｎｅｒ）や用途に応じて固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）にマスキングされる。特定ＵＥのためのＰＤＣＣＨであれば、ＵＥの固有識別子、例えば、Ｃ−ＲＮＴＩ（ｃｅｌｌ−ＲＮＴＩ）がＣＲＣにマスキングされ得る。または、ページングメッセージのためのＰＤＣＣＨであれば、ページング指示識別子、例えば、Ｐ−ＲＮＴＩ（ｐａｇｉｎｇ−ＲＮＴＩ）がＣＲＣにマスキングされ得る。システム情報のためのＰＤＣＣＨであれば、ＳＩ−ＲＮＴＩ（ｓｙｓｔｅｍ  ｉｎｆｏｒｍａｔｉｏｎ−ＲＮＴＩ）がＣＲＣにマスキングされ得る。ＵＥのランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされ得る。
【００２０】
図５は、ＵＬサブフレームの構造を示す。図５に示すように、ＵＬサブフレームは、周波数領域で制御領域とデータ領域とに分けられることができる。制御領域は、ＵＬ制御情報が送信されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。データ領域は、ユーザデータが送信されるためのＰＵＳＣＨ（ｐｈｙｓｉｃａｌ  ｕｐｌｉｎｋ  ｓｈａｒｅｄ  ｃｈａｎｎｅｌ）が割り当てられる。上位層で指示される場合、ＵＥは、ＰＵＳＣＨとＰＵＣＣＨの同時送信を支援できる。１つのＵＥに対するＰＵＣＣＨは、サブフレームで資源ブロックペア（ＲＢ  ｐａｉｒ）に割り当てられる。ＲＢペアに属する資源ブロックは、第１のスロットと第２のスロットの各々で互いに異なる副搬送波を占める。これをＰＵＣＣＨに割り当てられるＲＢペアがスロット境界で周波数がホッピング（ｆｒｅｑｕｅｎｃｙ−ｈｏｐｐｅｄ）されたという。ＵＥは、時間によってＵＬ制御情報を互いに異なる副搬送波を介して送信することにより、周波数ダイバーシティ利得を得ることができる。
【００２１】
ＰＵＣＣＨ上に送信されるＵＬ制御情報は、ＨＡＲＱ  ＡＣＫ／ＮＡＣＫ、ＤＬチャネル状態を表すＣＱＩ（ｃｈａｎｎｅｌ  ｑｕａｌｉｔｙ  ｉｎｄｉｃａｔｏｒ）、ＳＲ（ｓｃｈｅｄｕｌｉｎｇ  ｒｅｑｕｅｓｔ）などを含むことができる。ＰＵＳＣＨは、送信チャネルであるＵＬ−ＳＣＨにマッピングされる。ＰＵＳＣＨ上に送信されるＵＬデータは、ＴＴＩの間に送信されるＵＬ−ＳＣＨのためのデータブロックである送信ブロックでありうる。送信ブロックは、ユーザ情報でありうる。または、ＵＬデータは、多重化された（ｍｕｌｔｉｐｌｅｘｅｄ）データでありうる。多重化されたデータは、ＵＬ−ＳＣＨのための送信ブロックと制御情報とが多重化して得られたデータでありうる。例えば、データに多重化される制御情報は、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などを含むことができる。または、ＵＬデータは、制御情報のみで構成されることもできる。
【００２２】
搬送波集成（ＣＡ；ｃａｒｒｉｅｒ  ａｇｇｒｅｇａｔｉｏｎ）が説明される。これと関連して３ＧＰＰ  ＴＳ  ３６．３００  Ｖ１２．１．０（２０１４−０３）の５．５節及び７．５節が参照され得る。ＣＡに対して単一時間同期（ＴＡ；ｔｉｍｉｎｇ  ａｄｖａｎｃｅ）能力を有するＵＥは、同じＴＡを共有する複数のサービングセル（１つの時間同期グループ（ＴＡＧ；ｔｉｍｉｎｇ  ａｄｖａｎｃｅ  ｇｒｏｕｐ）にグループ化された複数のサービングセル）に対応する複数のＣＣを介して同時に受信及び／又は送信する。ＣＡに対して複数のＴＡ能力を有するＵＥは、互いに異なるＴＡを有する複数のサービングセル（複数のＴＡＧにグループ化される複数のサービングセル）に対応する複数のＣＣを介して同時に受信及び／又は送信する。Ｅ−ＵＴＲＡＮは、それぞれのＴＡＧが少なくても１つのサービングセルを含むことを保障する。非−ＣＡ能力（ｎｏｎ−ＣＡ  ｃａｐａｂｌｅ）ＵＥは、単に１つのサービングセル（１つのＴＡＧ内の１つのサービングセル）に対応する単一ＣＣを介して送信することができ、単一ＣＣを介して受信することができる。ＣＡは、連続的なＣＣ及び非−連続的なＣＣを共に支援し、各ＣＣは、周波数領域で最大１１０個の資源ブロックに限定される。
【００２３】
ＵＥが同じｅＮＢから送信される互いに異なる個数のＣＣを集成し、ＵＬとＤＬとで互いに異なる帯域幅を集成することが可能である。構成され得るＤＬ  ＣＣの個数は、ＵＥのＤＬ集成能力に依存する。構成され得るＵＬ  ＣＣの個数は、ＵＥのＵＬ集成能力に依存する。ＤＬ  ＣＣよりさらに多いＵＬ  ＣＣでＵＥを構成することは可能でない。典型的なＴＤＤ（ｔｉｍｅ  ｄｉｖｉｓｉｏｎ  ｄｕｐｌｅｘ）配置において、ＵＬ及びＤＬでのＣＣの個数とそれぞれのＣＣの帯域幅とは同一である。構成され得るＴＡＧの個数は、ＵＥのＴＡＧ能力に依存する。同じｅＮＢから送信されるＣＣは、同じカバレッジを提供する必要があるものではない。
【００２４】
ＣＡが構成される場合、ＵＥは、ネットワークと１つのＲＲＣ連結のみを有する。ＲＲＣ連結設定／再設定／ハンドオーバーにおいて、１つのサービングセルは、ＮＡＳ移動性情報（例えば、ＴＡＩ（ｔｒａｃｋｉｎｇ  ａｒｅａ  ｉｄｅｎｔｉｔｙ））を提供し、ＲＲＣ連結再設定／ハンドオーバーにおいて、１つのサービングセルは、保安入力を提供する。このようなセルは、ＰＣｅｌｌ（ｐｒｉｍａｒｙ  ｃｅｌｌ）と呼ばれる。ＤＬにおいて、ＰＣｅｌｌに対応する搬送波は、ＤＬ  ＰＣＣ（ＤＬ  ｐｒｉｍａｒｙ  ＣＣ）であり、それに対し、ＵＬにおいて、このような搬送波は、ＵＬ  ＰＣＣ（ＵＬ  ｐｒｉｍａｒｙ  ＣＣ）である。
【００２５】
ＵＥ能力に依存して、ＳＣｅｌｌｓ（ｓｅｃｏｎｄａｒｙ  ｃｅｌｌｓ）は、ＰＣｅｌｌと共にサービングセルの集合を形成するように構成されることができる。ＤＬにおいて、ＳＣｅｌｌに対応する搬送波は、ＤＬ  ＳＣＣ（ＤＬ  ｓｅｃｏｎｄａｒｙ  ｃｅｌｌ）であり、それに対し、ＵＬにおいて、このような搬送波は、ＵＬ  ＳＣＣ（ＵＬ  ｓｅｃｏｎｄａｒｙ  ｃｅｌｌ）である。
【００２６】
したがって、ＵＥに対して構成されたサービングセルの集合は、常に１つのＰＣｅｌｌと１つ以上のＳＣｅｌｌを含む。それぞれのＳＣｅｌｌに対し、ＤＬ資源に付加してＵＥによるＵＬ資源の利用が構成される（したがって、構成されたＤＬ  ＳＣＣの個数は、ＵＬ  ＳＣＣの個数より常に大きいか、または同一であり、ＳＣｅｌｌは、ＵＬ資源のみで構成されることができない）。ＵＥ観点で、それぞれのＵＬ資源は、ただ１つのサービングセルに属する。構成され得るサービングセルの個数は、ＵＥの集成能力に依存する。ＰＣｅｌｌは、単にハンドオーバー手順（すなわち、保安キー変更とＲＡＣＨ手順）に変更されることができる。ＰＵＣＣＨの送信のために、ＰＣｅｌｌが使用される。ＳＣｅｌｌと異なり、ＰＣｅｌｌは非活性化されることができない。ＰＣｅｌｌが無線リンク失敗（ＲＬＦ；ｒａｄｉｏ  ｌｉｎｋ  ｆａｉｌｕｒｅ）を経験し、ＳＣｅｌｌは、ＲＬＦを経験しない場合に、再設定がトリガされる。ＰＣｅｌｌからＮＡＳ情報が得られる。
【００２７】
ＳＣｅｌｌの構成、付加、及び除去は、ＲＲＣにより行われることができる。イントラ−ＬＴＥハンドオーバーにおいて、ＲＲＣは、ターゲットＰＣｅｌｌの利用のためにＳＣｅｌｌを付加、除去、または再構成できる。新しいＳＣｅｌｌを付加する場合に、すなわち、連結されたモードにある間、ＳＣｅｌｌの全ての要求されるシステム情報を送信するための専用ＲＲＣシグナリングが使用され、ＵＥは、ＳＣｅｌｌから直接放送情報を取得する必要はない。
【００２８】
ＬＴＥ装置がＷｉ−Ｆｉ、ブルートゥースなどのような他の無線接続技術（ＲＡＴ；ｒａｄｉｏ  ａｃｃｅｓｓ  ｔｅｃｈｎｏｌｏｇｙ）装置と共存できる認可されていないスペクトルでは、様々なシナリオを採択するＵＥ動作を許すことが必要である。認可されていないスペクトルでのＬＴＥ（ＬＴＥ−Ｕ）において、前述された３ＧＰＰ  ＬＴＥに対する様々な側面がＬＴＥ−Ｕに適用されないことがある。例えば、ＬＴＥ−Ｕ搬送波に対して前述されたＴＴＩが使用されず、スケジュール及び／又は搬送波感知結果に応じる可変またはフローティングＴＴＩがＬＴＥ−Ｕ搬送波に対して使用され得る。さらに他の例として、ＬＴＥ−Ｕ搬送波では、固定されたＤＬ／ＵＬ設定を活用するよりは、スケジューリングに基づいた動的ＤＬ／ＵＬ設定が使用され得る。しかし、ＵＥの特性により、ＤＬまたはＵＬ送信のうちの１つが発生する場合がありうる。他の例として、他の個数の副搬送波もＬＴＥ−Ｕ搬送波のために使用され得る。
【００２９】
ＬＴＥフレーム構造が同期化され、決定論的な方式を基盤とするので、チャネル取得時間がＬＴＥフレーム構造と整列されなければ、取得されたチャネルの活用を完全に成就できなくなることがある。これは、ＵＥの観点で、データがいつ送信されるかを正確に知らないことがあるということを意味する。
【００３０】
ネットワークまたはＵＥがチャネルを取得すれば、チャネルを予約するために、予約信号を送信することが必要である。効率的なＵＥ行動を支援するために、印加された搬送波と認可されていない搬送波とがＣＡを介して集成される場合、これらの間のサブフレーム境界を整列させることが好ましい。電波遅延及びＣＡ内搬送波間の潜在的な同期化エラーのため、ＵＥが一般的に３３ｕｓに至るタイミング差を期待できるが、一般的にサブフレームの境界が整列される搬送波は、ＵＥ要件のうちの一部を緩和させることができる。チャネル取得は、必ずサブフレーム境界に整列される必要なく、いつでも発生できるので、チャネルが取得されると、部分的なデータ送信を考慮することが自然である。部分的なデータ送信がなされれば、ＵＥは、適切な運送ブロックサイズ（ＴＢＳ；ｔｒａｎｓｐｏｒｔ  ｂｌｏｃｋ  ｓｉｚｅ）を決定し、正しいデータ復号化をなすために、部分的なデータ送信の長さを知っていなければならない。
【００３１】
以下では、本発明の一実施形態により、特に、ＵＥのブラインド探知に基づいて、認可されていない搬送波で部分的なデータ送信の長さを決定する方法を記述する。部分的なデータ送信が発生するサブフレームを「部分サブフレーム」（または、短いサブフレーム）と呼ぶことができる。本発明の一実施形態によれば、部分サブフレームの長さ（または、部分サブフレーム内のＰＤＳＣＨ（データチャネル）の長さ）を決定するために、ＰＤＳＣＨの開始／最後ＯＦＤＭシンボルのブラインド探知が行われ得る。以下では、ＰＤＳＣＨの開始／最後ＯＦＤＭシンボルのブラインド探知のための様々な方法が記述される。
【００３２】
まず、ＰＤＳＣＨの開始ＯＦＤＭシンボルのブラインド探知は、次の接近方式を１つまたはそれ以上に結合してなされることができる。
【００３３】
１）ＰＣＦＩＣＨまたは類似したチャネルを基盤とした探知：ＰＤＳＣＨの開始ＯＦＤＭシンボルは、ＰＣＦＩＣＨ、またはＰＤＳＣＨの開始ＯＦＤＭシンボルを明示的に或いは暗示的に示す特別なチャネル／信号を探知したときに決定されることができる。ＰＣＦＩＣＨがＰＤＳＣＨの開始ＯＦＤＭシンボルを決定するために使用される場合、ＵＥは、ＰＣＦＩＣＨ内で表れたＯＦＤＭシンボルの個数が制御チャネルに対して使用され、したがって、その後にデータがスケジューリングされることと仮定することができる。このような特別なチャネルのうちの一例は、プリアンブルでありうる。このような特別なチャネルのうちの一例は、セルに共通し、ＰＤＣＣＨまたはＥＰＤＣＣＨを介してスケジューリングされ得るＤＣＩでありうる。このような類型の特別な信号が使用される場合、以下、記述されるＰＤＣＣＨまたはＥＰＤＣＣＨを基盤とした探知が使用され得る。
【００３４】
２）ＰＤＣＣＨに基づいた探知：ＰＤＳＣＨの開始ＯＦＤＭシンボルは、ＰＤＣＣＨを探知したときに決定されることができる。自体搬送波スケジューリングが使用されると仮定すれば、ＵＥは、スケジューリングＤＣＩを探知したとき、データが送信されたことと安全に仮定することができる。これはまた、ＰＤＣＣＨが常にデータスケジューリング前に送信されるという仮定を基盤としたものである。したがって、これは、一般的にＵＥが部分サブフレーム／スロットの長さを決定するために、サブフレーム（または、１つのデータを伝達するための単位として使用されるスロット、すなわち、ＴＴＩ）が始まるとき、送信されたチャネル／信号に対するブラインド探知を行う技術に適用されることができる。これは、ＵＥが時間位置を決定するために、知られたプリアンブルを探知するＰＳＳ／ＳＳＳ探知と類似することができる。差異は、ＵＥ複雑度を最小化するために、ＯＦＤＭシンボル単位でこのような作業を行うことであろう。このような信号の一例は、最初の接近方式で言及された特別な信号としての部分サブフレームの第１のＯＦＤＭシンボル内の連続的なＣＲＳ送信である。
【００３５】
ＰＤＣＣＨに対して使用されるＯＦＤＭシンボル（等）の個数は、上位の層により設定されることができる。ＰＤＣＣＨに対して使用されるＯＦＤＭシンボル（等）の個数によって、次のような問題が発生できる。ＰＤＣＣＨに対して使用されるシンボル（等）の個数が１に仮定されたとすれば、模糊性が存在しないことができる。それに対し、ＰＤＣＣＨに対して使用されるシンボル（等）の個数が１より大きく、ＰＤＣＣＨがどのＯＦＤＭシンボルでも始まることができると仮定されると、ＰＤＳＣＨの開始ＯＦＤＭシンボルに対する模糊性が存在し得る。このような模糊性の問題を解決するために、ＰＤＣＣＨの開始シンボルは、サブフレーム内で単に数個のＯＦＤＭシンボルで固定されることができる（例えば、ＯＦＤＭシンボル＃０、＃４、＃５、＃９）。または、［０〜Ｍ−１］間でＯＦＤＭシンボルに対して最初ＣＣＥの位置を表すために、互いに異なるスクランブリングまたはＣＲＣが使用され得る。これは、全てのＯＦＤＭシンボルを扱うために、０〜１３で表れることができる。しかし、Ｍが固定される場合、［０〜Ｍ−１］間での差別化のための互いに異なるスクランブリングまたはＣＲＣで十分であろう。または、ＰＤＣＣＨのスクランブリングにおいて、開始ＯＦＤＭシンボル（及び他の設定により知られていない場合には、最後ＯＦＤＭシンボル）がスクランブリングのために使用され得る。これは、スロットインデックスまたはサブフレームインデックスと結合して使用されるか、単独で使用され得る。
【００３６】
３）ＲＳを基盤とした探知：ＰＤＳＣＨの開始ＯＦＤＭシンボルは、ＲＳパターン、スクランブリングなどに基づいて決定されることができる。一応決定されたら、ＵＥは、ＰＤＳＣＨの開始ＯＦＤＭシンボルを計算するために、制御チャネルのために使用されるＯＦＤＭシンボルの個数を適用したり、ＰＤＳＣＨの開始ＯＦＤＭシンボルを適用できる。より詳細な技法は、本接近方式に対する以下の説明において分かるであろう。
【００３７】
４）ＥＰＤＣＣＨを基盤とした探知：ＰＤＳＣＨの開始ＯＦＤＭシンボルは、ＰＤＣＣＨの代わりにＥＰＤＣＣＨを探知するときに決定されることができる。ＥＰＤＣＣＨを部分サブフレーム内に位置させることと関連して、次のような接近方式が考慮され得る。
【００３８】
・代案１：ＥＰＤＣＣＨの開始ＯＦＤＭシンボルが、ＥＰＤＣＣＨ資源領域の長さがＤｗＰＴＳ（ｄｏｗｎｌｉｎｋ  ｐｉｌｏｔ  ｔｉｍｅ  ｓｌｏｔ）長さのうちの１つにマッピングされるように制限された場合には、ＥＰＤＣＣＨが様々なＤｗＰＴＳ長さでマッピングされ得る。このような場合に、マッピングは、中間で始まるか（すなわち、ＯＦＤＭシンボル０のマッピングが開始ＯＦＤＭシンボル内にマッピングされる）、ＵＥ特定ＲＳ接近方式と類似したミラーリングによりマッピングが最後で始まり得る。これにより、ブラインド探知のための候補が増えるので、部分サブフレームに対して使用され得る一群の制限されたブラインド探知候補がＵＥに設定され得る。ＵＥは、部分サブフレーム後に完全サブフレームが使用されたことと仮定することができる（データバースト期間が知られている場合、ＵＥは、データバースト中に完全サブフレームの集合が使用されたことと仮定することができる）。例えば、開始ＯＦＤＭシンボル位置が４個のセットに対応する場合、全体ブラインド探知候補は、このような４個の集合で均等にまたは予め定義された各候補に対する加重値を有して分けられることができる。資源マッピング及び集合レベル選択がＤｗＰＴＳ設定後に続くことができる。
【００３９】
・代案２：ＥＰＤＣＣＨの開始ＯＦＤＭシンボルは、どんなＯＦＤＭシンボルであることもできる。このような場合に、候補シンボルの個数が相当増加し得る。したがって、各ＯＦＤＭシンボル別にブラインド探知を制限することをさらに考慮できる。この場合に、特別なサブフレームを活用し難いことがある。したがって、完全サブフレームを基盤としたマッピングが使用され得るし、ＥＰＤＣＣＨのために使用されない初めの数個のＯＦＤＭシンボルは、レートマッチングされるか、穿孔（ｐｕｎｃｔｕｒｅ）されることができる。
【００４０】
・代案３：ＥＰＤＣＣＨ資源領域の制限された長さに関係なく、完全サブフレーム基盤ＥＰＤＣＣＨマッピングが代案２でのように使用される。
【００４１】
ＥＰＤＣＣＨに基づいた探知において、前述したＰＤＣＣＨを基盤とした探知での模糊性の問題と同様に、ＥＣＣＥ（ｅｎｈａｎｃｅｄ  ＣＣＥ）マッピングによって、ＤＣＩが探知されるときに模糊性が存在し得る。このような模糊性の問題を解決するために、ＤＣＩがＰＤＳＣＨの長さを有していることができる。ＤＣＩが探知されたら、ＵＥは、ＰＤＳＣＨの長さを知るようになるであろう。または、［０〜Ｍ−１］間のＯＦＤＭシンボルと関連して最初ＣＣＥの位置を表すために、互いに異なるスクランブリングまたはＣＲＣが使用され得るし、このとき、Ｍは、ＥＰＤＣＣＨ資源の長さ（または、ＯＦＤＭシンボルの個数単位のＰＤＳＣＨ長さ）である。または、ＥＰＤＣＣＨのスクランブリングにおいて、開始ＯＦＤＭシンボル（及びこれが他の設定により知られていない場合には、最後ＯＦＤＭシンボル）がスクランブリングのために使用され得る。これは、スロットインデックスまたはサブフレームインデックスと結合して使用されるか、単独で使用され得る。
【００４２】
混合された選択のうちの１つは、部分サブフレームの開始ＯＦＤＭシンボルがプリアンブルを基盤として決定され、それに対し、ＰＤＣＣＨまたはＥＰＤＣＣＨ（ＲＳが存在したり、不在する状態で）が完全サブフレームのために使用され得る。言い換えれば、サブフレームが完全サブフレームであることと仮定して（サブフレームがオフサブフレームに知られていない場合）、ＵＥがＰＤＣＣＨまたはＥＰＤＣＣＨに対してブラインド復号化を行うことができる。ＵＥが完全サブフレームの探知に失敗する場合、それ以後には、ＵＥがプリアンブルまたは特別な信号を使用して部分サブフレームに対する探知を試みることができる（サブフレームが完全サブフレームであるか知っていない場合）。ダウンリンクスケジューリングを有さないＵＥに対するプリアンブル探知を最小化するために、このような混合式選択もＲＳ基盤のブラインド探知とともに使用され得る。言い換えれば、ＲＳが完全サブフレームに対する仮定に基づいて探知された場合、ＵＥは、完全サブフレームを仮定することができる。そうでない場合、ＵＥは、プリアンブルまたは他の特別な信号に基づいて部分サブフレームに対する探知を試みることができる。
【００４３】
前述したように、データ送信とともにスケジューリングされなかったＵＥが、ネットワークがサブフレームでどの信号を送信したか否かを探知することを望む場合を扱うために、特別なＤＣＩが送信され得る。送信された場合には、ＰＤＳＣＨの長さも知られなければならない。このような特別なＤＣＩは、ネットワークにより設定されたサブフレームの部分集合内（例えば、ＤＲＳサブフレーム内、サブフレーム＃０、＃５内）にのみ存在することもできる。ＵＥが特別なＤＣＩに対するブラインド探知を行うことができる場合には、ＵＥがＰＤＳＣＨの長さを推定でき、また、サブフレームが、例えば、測定、追跡の目的で点いた状態であることが分かる。
【００４４】
上位層のシグナリングがＰＤＳＣＨに対する開始ＯＦＤＭシンボルを示す場合には、ある送信に対する開始ＯＦＤＭシンボルを決定するために、特別なチャネルが使用され得るし、ＰＤＳＣＨに対する開始ＯＦＤＭシンボルが「ｓｔａｒｔ＿ＯＦＤＭ＿ｓｙｍｂｏｌ」＋データに対して上位層で設定されたＯＦＤＭシンボルのギャップに決定される。言い換えれば、特別なチャネルまたはＰＤＣＣＨが制御チャネルまたは他の送信の開始ＯＦＤＭシンボルを示すことができ、ＰＤＳＣＨの開始ＯＦＤＭシンボルは、ブラインド探知からの開始ＯＦＤＭシンボル及び上位層により設定されたギャップの組み合わせにより決定されることができる。ＥＰＤＣＣＨが使用されれば、ＵＥは、ＥＰＤＣＣＨ及びＰＤＳＣＨの開始ＯＦＤＭシンボルが同様であると仮定することができる。
【００４５】
２番目に、ＰＤＳＣＨの最後ＯＦＤＭシンボルのブラインド探知は、次の接近方式のうちの１つまたはこれらの結合からなることができる。
【００４６】
１）ＰＣＦＩＣＨまたは類似したチャネルを基盤とした探知：ＰＤＳＣＨの最後ＯＦＤＭシンボルは、ＰＣＦＩＣＨまたはＰＤＳＣＨの最後ＯＦＤＭシンボルを明示的または暗示的に示す特別なチャネル／信号を探知したときに決定されることができる。ＰＣＦＩＣＨがＰＤＳＣＨの最後ＯＦＤＭシンボルを決定するために使用される場合、ＵＥは、ＰＣＦＩＣＨに表れたＯＦＤＭシンボルの個数が送信のために使用され、したがって、最後ＯＦＤＭシンボルが明示的に表れたことと仮定することができる。開始ＯＦＤＭシンボルインデックスが０でない部分サブフレーム、完全サブフレーム、最後ＯＦＤＭシンボルがサブフレーム内のＯＦＤＭシンボルの個数より少ないことがある部分サブフレームの場合に、ＰＣＦＩＣＨを読み取ることの混乱を避けるために、開始または最後ＯＦＤＭシンボルを示す他の特別なチャネルが考慮され得る。このような特別なチャネルの一例は、後続信号である。特別な信号の一例は、セルに共通し、ＰＤＣＣＨまたはＥＰＤＣＣＨを介してスケジューリングされ得るようになったＤＣＩでありうる。このような類型の特別な信号が使用される場合、以下に記述されるＰＤＣＣＨまたはＥＰＤＣＣＨを基盤とする探知が使用され得る。
【００４７】
２）ＰＤＣＣＨに基づいた探知：ＰＤＳＣＨの最後ＯＦＤＭシンボルは、ＰＤＣＣＨを探知したときに決定されることができる。自体搬送波スケジューリングが使用されたことと仮定すれば、ＵＥは、スケジューリングＤＣＩを探知したらデータが送信されることと安全に仮定することができる。このような最後ＯＦＤＭシンボルを示すために、ＰＤＣＣＨが最後ＯＦＤＭシンボルに置かれることができる（言い換えれば、ＰＤＳＣＨ及びＰＤＣＣＨマッピングが逆転され得る）。これは、完全サブフレームより早く終わる部分サブフレーム内でのデータマッピングをミラーリングすることで実現されることができる。または、ＤＣＩがＰＤＳＣＨの長さを表すことができる。
【００４８】
ＰＤＣＣＨのために使用されるＯＦＤＭシンボル（等）の個数は、上位の層により設定されることができる。ＰＤＣＣＨのために使用されるＯＦＤＭシンボル（等）の個数によって、次のような問題が発生し得る。ＰＤＣＣＨに対して使用されるシンボル（等）の個数が１に仮定されたとすれば、模糊性が存在しないことができる。それに対し、ＰＤＣＣＨに対して使用されるシンボル（等）の個数が１より大きく、ＰＤＣＣＨがどのＯＦＤＭシンボルでも始まることができると仮定されたとすれば、ＰＤＳＣＨの開始ＯＦＤＭシンボルに対する模糊性が存在し得る。このような模糊性の問題を解決するために、ＰＤＣＣＨの開始シンボルは、サブフレーム内で単に数個のＯＦＤＭシンボルで固定され得る（例えば、ＯＦＤＭシンボル＃４、＃５、＃９、＃１３）。または、ＤＣＩがＤＣＩ及びＰＤＳＣＨ開始位置との間にギャップを有していることができる。例えば、ギャップが０ないしＭ−１でありうるし、このとき、Ｍは、ＤＣＩ送信のためにどのＯＦＤＭシンボル（等）が使用されたかと関係なく、ＰＤＳＣＨが定義された位置で送信され得るように、ＰＤＣＣＨのために使用されるＯＦＤＭシンボルの個数である。このようなギャップは、最初ＣＣＥが送信されるＯＦＤＭシンボル及びＰＤＳＣＨの最後ＯＦＤＭシンボル間に適用されることができる。ＰＤＳＣＨの最後ＯＦＤＭシンボルは、最初ＣＣＥ−ｇａｐ−１のＯＦＤＭシンボルにより決定されることができる。または、［０〜Ｍ−１］間のＯＦＤＭシンボルに対して最初ＣＣＥの位置を指示するために、互いに異なるスクランブリングまたはＣＲＣが使用され得る。これは、全てのＯＦＤＭシンボルを扱うことができるように、０〜１３間で示すことができる。しかし、Ｍが固定される場合には、［０〜Ｍ−１］間で差別化するための互いに異なるスクランブリングまたはＣＲＣとして十分であろう。または、ＰＤＣＣＨのスクランブリングにおいて、最後ＯＦＤＭシンボルがスクランブリングのために使用され得る。これは、スロットインデックスまたはサブフレームインデックスと結合して使用されるか、単独で使用され得る。
【００４９】
３）ＲＳに基づいた探知：ＰＤＳＣＨの最後ＯＦＤＭシンボルは、ＲＳパターン、スクランブリングなどに基づいて決定されることができる。一応決定されたら、ＵＥは、ＰＤＳＣＨの最後ＯＦＤＭシンボルを計算するために、制御チャネルに対して使用されたＯＦＤＭシンボルの個数を適用したり、ＰＤＳＣＨの最後ＯＦＤＭシンボルを適用できる。このような接近方式に対するより詳細な技法は、以下において示されるであろう。
【００５０】
４）ＥＰＤＣＣＨに基づいた探知：ＰＤＳＣＨの最後ＯＦＤＭシンボルは、ＰＤＣＣＨの代わりにＥＰＤＣＣＨを探知したときに決定されることができる。ＥＰＤＣＣＨを部分サブフレーム内に位置させることと関連して、次のような接近方式が考慮され得る。
【００５１】
・代案１：ＥＰＤＣＣＨ資源領域の長さがＤｗＰＴＳ長さのうちの１つでマッピングされ得るように、ＥＰＤＣＣＨの最後ＯＦＤＭシンボルが制限される場合、ＥＰＤＣＣＨは、様々なＤｗＰＴＳ長さでマッピングされ得る。これは、ブラインド探知候補を増加させることができるので、部分サブフレームに対して使用され得る制限されたブラインド探知候補者の集合がＵＥに設定され得る。資源マッピング及び集合レベル水準選択がＤｗＰＴＳ設定後に続くことができる。
【００５２】
・代案２：ＥＰＤＣＣＨの最後ＯＦＤＭシンボルは、どのＯＦＤＭシンボルにもなり得る。このような場合に、候補シンボルの個数が相当増加し得る。したがって、各ＯＦＤＭシンボル別にブラインド探知を制限することを追加で考慮できる。この場合に、特別なサブフレームを活用し難いことがある。したがって、完全サブフレームを基盤としたマッピングが使用され得るし、ＥＰＤＣＣＨに対して使用されない初めの数個のＯＦＤＭシンボルは、レートマッチングされるか、穿孔されることができる。
【００５３】
・代案３：代案２の場合と同様に、ＥＰＤＣＣＨ資源領域の制限された長さに関係なく、完全サブフレーム基盤のＥＰＤＣＣＨマッピングが使用される。
【００５４】
ＥＰＤＣＣＨ基盤の探知において、前述したＰＤＣＣＨを基盤とした探知での模糊性の問題と同様に、ＥＣＣＥマッピングによってＤＣＩが探知されるとき、模糊性が存在し得る。このような模糊性の問題を解決するために、ＤＣＩがＰＤＳＣＨの長さを有していることができる。ＤＣＩが探知されたら、ＵＥは、ＰＤＳＣＨの長さを知るようになるであろう。または、［０〜Ｍ−１］間のＯＦＤＭシンボルと関連して最初ＣＣＥの位置を表すために、互いに異なるスクランブリングまたはＣＲＣが使用され得るし、このとき、Ｍは、ＥＰＤＣＣＨ資源の長さ（または、ＯＦＤＭシンボルの個数単位のＰＤＳＣＨ長さ）である。または、ＥＰＤＣＣＨのスクランブリングにおいて、最後ＯＦＤＭシンボルがスクランブリングのために使用され得る。これは、スロットインデックスまたはサブフレームインデックスと結合して使用されるか、単独で使用され得る。
【００５５】
混合的選択のうちの１つは、部分サブフレームの最後ＯＦＤＭシンボルがプリアンブルに基づいて決定され、それに対し、ＰＤＣＣＨまたはＥＰＤＣＣＨ（ＲＳが存在したり、不在する）が完全サブフレームに対して使用され得る。言い換えれば、ＵＥは（サブフレームがオフサブフレームに知られていない場合）、サブフレームが完全サブフレームであることと仮定してＰＤＣＣＨまたはＥＰＤＣＣＨに対するブラインド復号化を行うことができる。ＵＥがＰＤＣＣＨを探知したとしても、これが、サブフレームが完全サブフレームであることを意味するものではない。このような場合には、ＰＤＳＣＨの最後ＯＦＤＭシンボルを示すために、後続信号が使用され得る。または、完全サブフレームに基づいたＥＰＤＣＣＨ探知が失敗する場合、ＵＥは、部分サブフレーム（サブフレームが完全サブフレームであるか否かが知られていない場合）後続信号または特別な信号に対する探知を試みることができる。ダウンリンクスケジューリングを有さないＵＥへの後続信号探知を最小化するために、このような混合的選択もＲＳ基盤のブラインド探知とともに使用され得る。言い換えれば、ＲＳが完全サブフレームの仮定を基盤として探知された場合、ＵＥは、完全サブフレームを仮定することができる。そうでない場合、ＵＥは、信号またはその他、特別な信号に基づいて部分サブフレームの探知を試みることができる。
【００５６】
前述したように、データ送信とともにスケジューリングされなかったＵＥが、ネットワークがサブフレームでどの信号を送信したか否かを探知することを望む場合を扱うために、特別なＤＣＩが送信され得る。送信された場合には、ＰＤＳＣＨの長さも知られなければならない。このような特別なＤＣＩは、ネットワークにより設定されたサブフレームの部分集合内（例えば、ＤＲＳサブフレーム内、サブフレーム＃０、＃５内）にのみ存在することもできる。ＵＥが特別なＤＣＩに対するブラインド探知を行うことができる場合には、ＵＥがＰＤＳＣＨの長さを推定でき、また、サブフレームが、例えば、測定、追跡の目的で点いた状態であることが分かる。
【００５７】
前述された本発明の実施形態、すなわち、ＰＤＳＣＨの開始／最後ＯＦＤＭシンボルを決定するための方法は、データまたは他の信号（等）と関係なく、ネットワーク送信の長さを決定するために使用され得る。また、前述されたＰＤＣＣＨは、ＥＰＤＣＣＨまたは他の制御チャネルが認可されていない搬送波で使用される場合に適用されることができる。また、他の種類の制御チャネルがサブフレームまたは時間事件の他のセットで使用され得る。例えば、ＵＥが認可されていない搬送波内のＥＰＤＣＣＨに設定されたにもかかわらず、部分サブフレームでＵＥは、ＰＤＣＣＨが使用されたことと仮定することができる。言い換えれば、完全サブフレームが仮定されれば、ＥＰＤＣＣＨが使用されることに対し、制御チャネル上でのブラインド探知は、ＰＤＣＣＨとともに行われることと仮定され得る。したがって、前述されたＰＤＣＣＨは、単純に認可されていない搬送波で使用される制御チャネルであるということができる。
【００５８】
図６は、本発明の実施形態によって認可されていない搬送波内でＰＤＳＣＨの長さを決定するための方法の例を見せる。ステップＳ１００において、ＵＥは、認可されていない搬送波内でＰＤＳＣＨの開始ＯＦＤＭシンボルまたは最後ＯＦＤＭシンボルのうち、少なくとも１つを探知する。ステップＳ１１０において、前記ＵＥは、認可されていない搬送波内でＰＤＳＣＨの長さを認可されていない搬送波内でＰＤＳＣＨの開始ＯＦＤＭシンボルまたは最後ＯＦＤＭシンボルのうち、少なくとも１つに基づいて決定する。
【００５９】
開始ＯＦＤＭシンボルまたは最後ＯＦＤＭシンボルのうち、少なくとも１つは、ＰＤＣＣＨのブラインド探知に基づいて探知され得る。開始ＯＦＤＭシンボルまたは最後ＯＦＤＭシンボルのうち、少なくとも１つは、ＰＤＣＣＨを介して受信されたＤＣＩに基づいて探知され得る。ＰＤＣＣＨの開始ＯＦＤＭシンボルは固定され得る。ＰＤＣＣＨに対して互いに異なるスクランブリングまたはＣＲＣが使用され得る。開始ＯＦＤＭシンボルまたは最後ＯＦＤＭシンボルのうち、少なくとも１つは、ＰＤＣＣＨのスクランブリングのために使用され得る。他の方法として、開始ＯＦＤＭシンボルまたは最後ＯＦＤＭシンボルのうち、少なくとも１つは、ＲＳパターンに基づいて探知され得る。前記ＲＳパターンは、ＣＲＳパターンまたはＵＥ特定ＲＳパターンでありうる。前記ＲＳパターンは、ＣＲＳパターンのミラーリングされたＲＳパターンまたはＵＥ特定ＲＳパターンでありうる。ＰＤＳＣＨの長さは、ＰＤＳＣＨの開始ＯＦＤＭシンボルからサブフレームの最後ＯＦＤＭシンボルまでの距離として決定されることができる。ＰＤＳＣＨの長さは、サブフレームの最初ＯＦＤＭシンボルから最後ＯＦＤＭシンボルまでの長さとして決定されることができる。代案として、開始ＯＦＤＭシンボルまたは最後ＯＦＤＭシンボルのうち、少なくとも１つは、ＰＣＦＩＣＨのブラインド探知に基づいて探知され得る。他の方法として、開始ＯＦＤＭシンボルまたは最後ＯＦＤＭシンボルのうち、少なくとも１つは、ＥＰＤＣＣＨのブラインド探知に基づいて探知され得る。
【００６０】
以下では、本発明の実施形態に係る認可されていない搬送波内の部分サブフレームのための様々なＲＳパターンが記述される。前術したように、ＵＥは、ＲＳパターンを探知してＰＤＳＣＨの長さを探知できる。
【００６１】
ＣＲＳ（ｃｅｌｌ−ｓｐｅｃｉｆｉｃ  ｒｅｆｅｒｅｎｃｅ  ｓｉｇｎａｌ）に対しては、３ＧＰＰ  ＴＳ  ３６．２１１  Ｖ１２．０．０（２０１３−１２）の第６．１０．１節を参照できる。ＣＲＳは、ＰＤＳＣＨ送信を支援するセル内の全てのＤＬサブフレームで送信されるべきであろう。ＣＲＳは、アンテナポート０ないし３のうちの１つまたはいくつのポート上で送信される。ＣＲＳは、Δｆ＝１５ｋＨｚに対してのみ定義される。
【００６２】
ＵＥ特定ＲＳに対しては、３ＧＰＰ  ＴＳ  ３６．２１１  Ｖ１２．０．０（２０１３−１２）の第６．１０．３節を参照できる。ＰＤＳＣＨと連関されたＵＥ特定ＲＳは、アンテナポート（等）ｐ＝５、ｐ＝７、ｐ＝８、または、ｐ＝７、８、．．．、ν＋６上で送信され、このとき、νは、ＰＤＳＣＨの送信のために使用されるレイヤの個数である。ＰＤＳＣＨ送信が該当するアンテナポートに連関されている場合のみにＵＥ特定ＲＳが存在し、ＰＤＳＣＨ復調のための有効な参照となる。ＵＥ特定ＲＳは、該当するＰＤＳＣＨがマッピングされる物理資源ブロック上のみで送信される。ＰＤＳＣＨと連関されたこのようなＵＥに特定の参照信号は、これらのアンテナポートｐと関係なく、ＵＥ特定ＲＳでない物理チャネルまたは物理信号のうちの１つが同じインデックス対（ｋ、ｌ）を有するＲＥを使用して送信されるＲＥ（ｋ、ｌ）では送信されない。
【００６３】
図７は、現在のＣＲＳパターンの例を見せる。図７は、アンテナポート０に対するＣＲＳのために使用されたＲＥを見せる。
【００６４】
図８は、現在のＵＥ特定ＲＳパターンの一例を見せる。図８は、特別なサブフレーム設定が１、２、６または７であるとき、アンテナポート７に対するノーマルＣＰに対し、ＵＥ特定ＲＳに対して使用されたＲＥを見せる。
【００６５】
図９は、現在のＵＥ特定ＲＳパターンのさらに他の例を見せる。図９は、特別なサブフレーム設定が３、４、８または９であるとき、アンテナポート７に対するノーマルＣＰに対し、ＵＥ特定ＲＳに対して使用されたＲＥを見せる。
【００６６】
図１０は、ＵＥ特定ＲＳパターンのさらに他の例を見せる。図１０は、他の全てのＤＬサブフレームに対してアンテナポート７に対するノーマルＣＰに対し、ＵＥ特定ＲＳに対して使用されたＲＥを見せる。
【００６７】
まず、サブフレームの中間で始めてサブフレームの最後ＯＦＤＭシンボルで終わる認可されていない搬送波内の部分サブフレームのブラインド探知のためのＲＳパターンが記述される。下記のＲＳパターンに基づいて、部分サブフレームの長さが決定され得る。
【００６８】
（１）接近方式Ａ−１：現在のＲＳパターンを維持する。
【００６９】
ＵＥがＣＲＳを探知するようになると、ＵＥは、部分サブフレームを探知するために、ＣＲＳが送信され得る各ＯＦＤＭシンボル内でＣＲＳを探知しようと試みることができる。例えば、このような部分サブフレームは、ノーマルＣＰでＵＥが最初のスロット内の最初ＯＦＤＭシンボルでＣＲＳを探知するとき、１４個のＯＦＤＭシンボルにより、またはＵＥが最初のスロット内の２番目ＯＦＤＭシンボルでＣＲＳを探知するとき、１０個のＯＦＤＭシンボルにより、またはＵＥが２番目のスロット内の最初ＯＦＤＭシンボルでＣＲＳを探知するとき、７個のＯＦＤＭシンボルにより、またはＵＥが２番目のスロット内の４番目ＯＦＤＭシンボルでＣＲＳを探知するとき、３個のＯＦＤＭシンボルによりなされることができる。このような各場合に対して、ＵＥが以前の場合に対する探知を失敗すれば、ＵＥが次の場合を探知できることと仮定される。その後、ＣＲＳ送信としてどれくらい多くのＯＦＤＭシンボルが探知されたかによって、ＵＥはどれくらい多くのＯＦＤＭシンボルがデータ送信のために使用されるか決定することができる。このような接近方式を活用して、部分サブフレームに対して使用されるＯＦＤＭシンボルの個数がノーマルＣＰで３個のＯＦＤＭシンボル、７個のＯＦＤＭシンボル、１０個のＯＦＤＭシンボル、及び１４個のＯＦＤＭシンボルのように制限され得る。
【００７０】
これは、ＵＥ特定ＲＳの探知を介しても行われることができる。このような場合に、ＵＥ特定ＲＳ位置が変化しないと、各スロット内のＵＥ特定ＲＳが探知されれば完全サブフレーム送信がなされ得るし、または、２番目のスロット内のみでＵＥ特定ＲＳが探知されれば半分のサブフレーム送信がなされ得る。同様に、このような接近方式は、チャネル取得がサブフレームの中間で終わる部分サブフレーム送信を許すために適用され得る。例えば、最初のスロット送信は、最初のスロット内のみでＵＥ特定ＲＳが探知されたときにのみなされることができる。
【００７１】
このような接近方式が使用される場合に表れる問題のうちの１つは、性能の低下と潜在的に汚染されたＨＡＲＱバッファを引き起こす送信が発生できるＰＤＳＣＨの開始ＯＦＤＭシンボルに対する誤った探知である。このような問題を緩和させるための接近方式のうちの１つは、最初のＲＳが最初ＯＦＤＭシンボルに対して生成されたシーケンスとともに始まることができるように、各ＯＦＤＭシンボル別にＲＳシーケンスを変更することである。例えば、部分サブフレームの最初ＯＦＤＭシンボルが最初のスロットの４番目ＯＦＤＭシンボルであれば、ＣＲＳシーケンスを生成するために、ｌ＝４を使用する代わりに、最初のスロット内の４番目ＯＦＤＭシンボルという同じＲＥ位置を維持しつつ、ｌ＝０を使用してシーケンスを生成できる。同様に、２番目のスロット内の最初ＯＦＤＭシンボルでのＣＲＳシーケンスに対して、このようなＣＲＳシーケンスは、最初のスロットでｌ＝４を使用して生成されることができる。２番目のスロット内の４番目ＯＦＤＭシンボルでのＣＲＳシーケンスに対して、このようなＣＲＳシーケンスは、２番目のスロットでｌ＝０を使用して生成されることができる。言い換えれば、シーケンス生成の観点では、変わったことがないものとみなされることができる。
【００７２】
図１１は、本発明の実施形態に係る部分サブフレームに対するＣＲＳパターンの一例を見せる。図１１は、ＵＥが最初のスロット内の４番目ＯＦＤＭシンボルでＣＲＳを探知するとき、部分サブフレームがノーマルＣＰで１０個のＯＦＤＭシンボルによりなされる場合に該当する。
【００７３】
図１２は、本発明の実施形態に係る部分サブフレームに対するＣＲＳパターンのさらに他の例を見せる。図１２は、ＵＥが２番目のスロット内の最初ＯＦＤＭシンボルでＣＲＳを探知するとき、部分サブフレームがノーマルＣＰで７個のＯＦＤＭシンボルによりなされる場合に該当する。
【００７４】
図１３は、本発明の実施形態によって部分サブフレームに対するＣＲＳパターンのさらに他の例を見せる。図１３は、ＵＥが２番目のスロット内の４番目ＯＦＤＭシンボルでＣＲＳを探知するとき、部分サブフレームがノーマルＣＰで３個のＯＦＤＭシンボルによりなされる場合に該当する。
【００７５】
ＵＥが最初のスロット内の最初ＯＦＤＭシンボルでＣＲＳを探知するとき、部分サブフレームがノーマルＣＰで１４個のＯＦＤＭシンボルによりなされる場合に対応する図面は、部分サブフレームが完全サブフレームであるから、省略する。
【００７６】
このような接近方式を使用することにより、ＵＥは、部分サブフレームにより使用されるＯＦＤＭシンボルの潜在的個数を決定でき、ＣＲＳシーケンスに基づいて、ＵＥは、探知された長さに基づいてＣＲＳシーケンスを適用することにより、部分サブフレームの長さを証明できる。他の方法として、ＵＥは、ＣＲＳシーケンスに基づいて部分サブフレームの長さに対するブラインド探知を行うこともできる。
【００７７】
（２）接近方式Ａ−２：ミラー（Ｍｉｒｒｏｒ）ＲＳ−パターン
【００７８】
部分サブフレームの長さを決定するためのさらに他の接近方式は、特別なサブフレーム内のＵＥ特定ＲＳパターンまたはＣＲＳパターンに基づいてミラーリングされたＲＳパターンに対するブラインド探知を行うことである。すなわち、ミラーリングされたＵＥ特定ＲＳパターンが部分サブフレームの長さを表すことができる。例えば、前記図８〜図１０に示されたように、現在、３個のＵＥ特定ＲＳパターンがサブフレームの長さによって特別なサブフレームに対して指定されている。部分サブフレームが、自分が最後ＯＦＤＭシンボルで終わる間、どのＯＦＤＭシンボルでも始めることができることに対し、ＤｗＰＴＳは、最初ＯＦＤＭシンボルで始まるので、特別なサブフレームのＵＥ特定ＲＳパターンを部分サブフレームに直接適用することは容易になされない。これにより、このようなＵＥ特定ＲＳパターンは、最初ＯＦＤＭシンボルでない、最後ＯＦＤＭシンボルで始めるように、ミラーリングにより変更することができる。
【００７９】
図１４は、本発明の実施形態に係る部分サブフレームに対してミラーリングされたＵＥ特定ＲＳパターンの例を見せる。図１４は、前記図８に示された特別なサブフレーム設定１、２、６または７に対する現在のＵＥ特定ＲＳパターンのミラーリングされたＵＥ特定ＲＳパターンを見せる。図１４に示されたように、ミラーリングされたＵＥ特定ＲＳパターンは、９個のＯＦＤＭシンボル等の部分サブフレームのサイズを示すことができる。ＵＥが最後ＯＦＤＭシンボルから始まるこのようなＵＥ特定ＲＳパターンを探知するようになると、ＵＥは、９個のＯＦＤＭシンボルが部分サブフレームに対して使用され得ることと仮定することができる。
【００８０】
図１５は、本発明の実施形態に係る部分サブフレームに対するミラーリングされたＵＥ特定ＲＳパターンのさらに他の例を見せる。図１５は、前記図９に示された特別なサブフレーム設定３、４、８または９に対する現在のＵＥ特定ＲＳパターンのミラーリングされたＵＥ特定ＲＳパターンを見せる。図１５に示されたミラーリングされたＵＥ特定ＲＳパターンは、１１個のＯＦＤＭシンボルの部分サブフレームのサイズを示すことができる。
【００８１】
図１６は、本発明の実施形態に係る部分サブフレームに対するミラーリングされたＵＥ特定ＲＳパターンのさらに他の例を見せる。図１６は、前記図１０に示された他の全てのＤＬサブフレームに対する現在のＵＥ特定ＲＳパターンのミラーリングされたＵＥ特定ＲＳパターンを見せる。図１６に示されたミラーリングされたＵＥ特定ＲＳパターンは、１４個のＯＦＤＭシンボルの部分サブフレームのサイズを示すことができる。
【００８２】
図１７は、本発明の実施形態に係る部分サブフレームに対するミラーリングされたＵＥ特定ＲＳパターンのさらに他の例を見せる。図１７は、図１６に示されたミラーリングされたＵＥ特定ＲＳパターンの一対のみが探知される場合を見せる。このような場合に、ＵＥは、部分サブフレームに対して７個のＯＦＤＭシンボル（１つのスロット）が使用されることと仮定することができる。
【００８３】
図１８は、本発明の実施形態に係る部分サブフレームに対するミラーリングされたＵＥ特定ＲＳパターンのさらに他の例を見せる。図１８は、図１４または図１５に示されたミラーリングされたＵＥ特定ＲＳパターンの一対のみが探知される場合を見せる。このような場合に、ＵＥは、部分サブフレームに対して５個のＯＦＤＭシンボルが使用されることと仮定することができる。４個のＯＦＤＭシンボルのように、より短いサイズが部分サブフレームに対して仮定され得ることに留意する必要がある。
【００８４】
図１９は、本発明の実施形態に係る部分サブフレームに対するミラーリングされたＣＲＳパターンの一例を見せる。ミラーリングされたＵＥ特定ＲＳパターンと同様に、ミラーリングされたＣＲＳパターンは、部分サブフレームの長さを示すことができる。図１９は、前記図７に示された現在のＣＲＳパターンのミラーリングされたＣＲＳパターンを見せる。このような場合に、ＵＥは、部分サブフレームの長さを次のように仮定することができる：
【００８５】
・ＵＥが最後ＯＦＤＭシンボルでＣＲＳを探知するとき、３（または４）個のＯＦＤＭシンボル
【００８６】
・ＵＥが２番目のスロットでＣＲＳを探知するとき、７個のＯＦＤＭシンボル
【００８７】
・ＵＥが最初のスロットの最後ＯＦＤＭシンボルでＣＲＳを探知し、２番目のスロットでＣＲＳを探知するとき、１０（または１１）個のＯＦＤＭシンボル
【００８８】
・ＵＥが最初と２番目のスロットの両方で全てのＣＲＳを探知するとき、１４個のＯＦＤＭシンボル。
【００８９】
（３）接近方式Ａ−３：部分サブフレームの最初ＯＦＤＭシンボルでプリアンブルまたは知られたシーケンスで始める。
【００９０】
さらに他の接近方式は、部分サブフレームをプリアンブルまたは最初ＯＦＤＭシンボル内の知られたシーケンスで始めることである。プリアンブルまたは知られたシーケンスを探知することにより、ＵＥが部分サブフレームの長さを決定できる。一例は、最初のスロットの最初ＯＦＤＭシンボル（すなわち、ｌ＝０及び最初のスロット）のシーケンスを有するＣＲＳを送信することである。ＵＥがＯＦＤＭシンボルｉで知られたシーケンスを探知すれば、ＵＥは、ｉ番目ＯＦＤＭシンボルを部分サブフレームの開始ＯＦＤＭシンボルとして仮定することができる。このような接近方式によれば、１ないし１４個のＯＦＤＭシンボルが部分サブフレームに対して使用され得る。ＣＲＳが部分サブフレームで送信される場合、最初ＯＦＤＭシンボルｉから始めて、ｉ＋４番目ＯＦＤＭシンボルがＣＲＳ（ＲＥパターン及び最初のスロット内の４番目ＯＦＤＭシンボルのシーケンス）を有することができ、以下、同様である。ＣＲＳの代わりに、ＵＥ特定ＲＳが使用されるか、他の知られたシーケンス（または、プリアンブル）が部分サブフレームの開始ＯＦＤＭシンボルを示すために使用され得る。
【００９１】
図２０は、本発明の実施形態に係る部分サブフレームに対するＣＲＳパターンのさらに他の例を見せる。図２０は、部分サブフレームがサブフレームの３番目ＯＦＤＭシンボルで始まることを見せ、これにより、部分サブフレームの長さは、１２個のＯＦＤＭシンボルに決定されることができる。
【００９２】
図２１は、本発明の実施形態に係る部分サブフレームに対するＣＲＳパターンのさらに他の例を見せる。図２１は、部分サブフレームがサブフレームの５番目ＯＦＤＭシンボルで始まることを見せ、これにより、部分サブフレームの長さは、１０個のＯＦＤＭシンボルに決定されることができる。
【００９３】
部分サブフレームの長さを決定するためのＲＳ基盤のブラインド探知の問題は信頼度である。干渉が高いときは、探知信頼度が顕著に低下し得る。このような場合に、ＰＤＣＣＨに基づいたブラインド探知と結合させることにより、信頼度を向上させることを考慮できる。より特定的には、ＵＥは、ＰＣｅｌｌまたはＳＣｅｌｌ自体から（ＵＳＳまたはＣＳＳ内のＵＥに対して）ＰＤＣＣＨが探知される場合にセルが点いた状態にあり、また、認可されていない搬送波上でＣＲＳを探知できることと仮定することができる。ＰＤＣＣＨを探知することと関連して、ＵＥはまた、後のサブフレーム（例えば、ＣＲＳが以前のサブフレームで探知されたサブフレームの次にＰＤＣＣＨがくる）または以後のタイミング（例えば、ＣＲＳが現在時間のＳＣｅｌｌで探知されるＰＣｅｌｌの次にＰＤＣＣＨがくる）にくるＰＤＣＣＨ探知を含むことができる。
【００９４】
ＲＳを基盤とした部分サブフレームのブラインド探知に対する信頼性を高めるために、少なくとも１つの完全サブフレームが部分サブフレームの直後にあることと仮定することができる。言い換えれば、ＵＥは、部分サブフレームを探知するために、１つのサブフレームでない、２個のサブフレームにわたってブラインド探知を行うことができる。例えば、ＵＥがＤＣＩまたは他の手段を介してサブフレームが完全サブフレームであることを知っていると、ＵＥは、完全サブフレーム以前に部分サブフレームが先行することと仮定することができる。このような情報を知るようになると、ＵＥ側での探知確率を改善させることができる。また、ＵＥがこのような制限として部分サブフレームを探知する場合、ＵＥは、部分サブフレーム後に完全サブフレームが後続することと仮定することができる。したがって、ネットワークからどの指示もないときは、ＵＥは、ブラインド探知をせずに、安全に完全サブフレームを仮定することができる。これは、ＣＲＳまたはＵＥ特定ＲＳを読んで証明できるであろう。より特定的には、これは、ＵＥが完全サブフレームを探知することを意味し、最初の完全サブフレームが探知されたら、ＵＥが部分サブフレームの探知を試みることができるであろう。このような場合に、部分サブフレームが信頼度を向上させるために、プリアンブルまたは同期化信号として送信されることと仮定することができる。これを支援するために、ＵＥがブラインド探知のために、サブフレームに戻らなければならないので、少なくとも２つのサブフレームがバッファリングされなければならない。
【００９５】
しかも、ブラインド探知を最小化するために、部分サブフレームに対して使用され得るＯＦＤＭシンボル長さを示すための上位層シグナリングが考慮され得るし、これは、ＵＥ別に変わるであろう。ネットワークは、部分サブフレームの使用可能な長さが設定された長さより長いとしても上位層の設定に基づいてＰＤＳＣＨを部分サブフレーム内のＵＥにスケジューリングすることができる。例えば、ネットワークが３個のＵＥ（ＵＥ１、ＵＥ２、及びＵＥ３）を有しており、ＵＥ１、ＵＥ２、及びＵＥ３が部分サブフレームの長さに対して各々１個のスロット、１０個のＯＦＤＭシンボル、及び１２個のＯＦＤＭシンボルに設定されている場合、ネットワークは（チャネル取得以後の）、部分サブフレームの長さが１０未満である場合にデータをＵＥ１にスケジューリングすることができ、サブフレームの長さが１２未満である場合には、ＵＥ２にスケジューリングすることができ、以下は、同じ方式で行うことができる。さらに他の接近方式は、各ＵＥに対するＰＤＳＣＨが設定された値当たりの長さにマッピングされるにもかかわらず、部分サブフレームの実際長さに関係なく、データをＵＥにスケジューリングすることである。
【００９６】
特に、スケジューリングに基づいたＵＥ特定ＲＳとして、部分サブフレーム内のＰＤＳＣＨとしてスケジューリングされたＵＥは、次のサブフレームがＵＥにスケジューリングされたＰＤＳＣＨを有することと仮定することができる。これは、ＵＥ特定ＲＳに基づいたブラインド探知の信頼度を改善することである。ＵＥは、単に１つのサブフレームに依存するよりは、ＵＥ特定ＲＳの２つのサブフレームを活用して送信に対するブラインド探知を行うことができる。
【００９７】
２番目に、サブフレームの最初ＯＦＤＭシンボルで始めてサブフレームの中間で終わる認可されていない搬送波内の部分サブフレームのブラインド探知のためのＲＳパターンが記述される。下記のＲＳパターンに基づいて、部分サブフレームの長さが決定され得る。
【００９８】
（１）接近方式Ｂ−１：接近方式Ａ−１と類似する
【００９９】
前述した接近方式Ａ−１と同様に、ＵＥがＣＲＳを探知するようになると、ＵＥは、部分サブフレームを探知するために、ＣＲＳが送信され得る各ＯＦＤＭシンボル内のＣＲＳに対する探知を試みることができる。探知されたＯＦＤＭシンボルの個数を証明するために、最後ＣＲＳ（例えば、部分サブフレームの１１個のＯＦＤＭシンボルサイズを有する２番目のスロット内の最初ＯＦＤＭシンボル）がｌ＝４のシーケンスと２番目のスロットを使用するようにＣＲＳシーケンス生成が行われ得る。探知されたＣＲＳによるＯＦＤＭシンボルの個数は異なることができる。例えば、ＵＥが最初のスロット内の最初と４番目ＯＦＤＭシンボル及び２番目のスロット内の最初ＯＦＤＭシンボルでＣＲＳを探知する場合、１０個のＯＦＤＭシンボルを仮定することができる。
【０１００】
図２２は、本発明の実施形態に係る部分サブフレームに対するＣＲＳパターンのさらに他の例を見せる。図２２は、ＵＥがＣＲＳを最初のスロット内の最初と４番目ＯＦＤＭシンボルで、また、２番目のスロット内の最初ＯＦＤＭシンボルで探知するとき、部分サブフレームがノーマルＣＰ内で１１個のＯＦＤＭシンボルにより成就される場合に該当する。
【０１０１】
図２３は、本発明の実施形態に係る部分サブフレームに対するＣＲＳパターンのさらに他の例を見せる。図２３は、ＵＥがＣＲＳを最初のスロット内のみで最初と４番目ＯＦＤＭシンボルで探知するとき、部分サブフレームがノーマルＣＰ内で７個のＯＦＤＭシンボルにより成就される場合に該当する。
【０１０２】
図２４は、本発明の実施形態に係る部分サブフレームに対するＣＲＳパターンのさらに他の例を見せる。図２４は、ＵＥがＣＲＳを最初のスロット内のみで最初ＯＦＤＭシンボルで探知するとき、部分サブフレームがノーマルＣＰ内で４個のＯＦＤＭシンボルにより成就される場合に該当する。
【０１０３】
ＵＥがＣＲＳを最初のスロット内の最初と４番目ＯＦＤＭシンボルで、また、２番目のスロット内の最初と４番目ＯＦＤＭシンボルで探知するとき、部分サブフレームがノーマルＣＰ内で１４個のＯＦＤＭシンボルにより成就される場合に該当する図面は、部分サブフレームが完全サブフレームであるから、省略する。
【０１０４】
前述された本発明の実施形態が既存のＬＴＥ  ＲＳパターンに基づいて議論されたが、ＬＴＥ−Ｕに対する新しいＲＳパターンが使用されれば、このような新しく定義されたＲＳパターンに対しても同じ原理が適用され得る。また、ＬＴＥ−Ｕに対して新しい制御チャネルが導入される場合、ＰＤＣＣＨまたはＥＰＤＣＣＨに対して使用されたことと同じ原則がこのような新しい制御チャネルに適用され得る。
【０１０５】
（２）接近方式Ｂ−２：接近方式Ａ−３と類似する
【０１０６】
前述した接近方式Ａ−３と同様に、部分サブフレームが２番目のスロット内の４番目ＯＦＤＭシンボルで使用されたＣＲＳシーケンスとともに最後ＯＦＤＭシンボル（または、最後ＯＦＤＭシンボル以前の２つのＯＦＭシンボル）で終わる。これに基づいて、ＵＥは、ＣＲＳ送信を期待でき、部分サブフレームの長さを決定できる。
【０１０７】
図２５は、本発明の実施形態に係る部分サブフレームに対するＣＲＳパターンのさらに他の例を見せる。図２５は、２番目のスロット内の４番目ＯＦＤＭシンボルのＣＲＳパターンが部分サブフレームの最後ＯＦＤＭシンボル以前の２つのＯＦＤＭシンボルで使用されるという仮定下に、部分サブフレームがサブフレームの１０番目ＯＦＤＭシンボルで終わることを見せる。これにより、部分サブフレームの長さは、１０個のＯＦＤＭシンボルとして決定されることができる。
【０１０８】
図２６は、本発明の実施形態に係る部分サブフレームに対するＣＲＳパターンのさらに他の例を見せる。図２６は、２番目のスロット内の４番目ＯＦＤＭシンボルのＣＲＳパターンが部分サブフレームの最後ＯＦＤＭシンボル以前の２つのＯＦＤＭシンボルで使用されるという仮定下に、部分サブフレームがサブフレームの８番目ＯＦＤＭシンボルで終わることを見せる。これにより、部分サブフレームの長さは、８個のＯＦＤＭシンボルとして決定されることができる。
【０１０９】
（３）接近方式Ｂ−３：接近方式Ａ−３＋ミラーリング
【０１１０】
さらに他の選択は、最後ＯＦＤＭシンボル内の最初のＣＲＳまたは最後ＯＦＤＭシンボル内の知られたシーケンス（または、プリアンブル）で始めた後、残りでミラーリングされたＣＲＳ  ＲＳパターンを使用することである。最初のＣＲＳまたは知られたシーケンスを探知することにより、ＵＥは、部分サブフレームの長さを決定できる。
【０１１１】
図２７は、本発明の実施形態に係る部分サブフレームに対するＣＲＳパターンのさらに他の例を見せる。図２７は、部分サブフレームがサブフレームの１１番目ＯＦＤＭシンボルで終わり、ミラーリングされたＣＲＳパターンが使用されることを見せる。これにより、部分サブフレームの長さは、１１個のＯＦＤＭシンボルとして決定されることができる。
【０１１２】
図２８は、本発明の実施形態に係る部分サブフレームに対するＣＲＳパターンのさらに他の例を見せる。図２８は、部分サブフレームがサブフレームの６番目ＯＦＤＭシンボルで終わり、ミラーリングされたＣＲＳパターンが使用されることを見せる。これにより、部分サブフレームの長さは、６個のＯＦＤＭシンボルとして決定されることができる。
【０１１３】
（４）接近方式Ｂ−４：接近方式Ｂ−２＋最後ＣＲＳ
【０１１４】
さらに他の接近方式は、残りのＣＲＳパターンを現在指定されたとおりに維持しつつ、最後ＯＦＤＭシンボル内の２番目のスロット内のＣＲＳパターン及び４番目ＯＦＤＭシンボルのシーケンスを使用することである。例えば、部分サブフレームの長さが１０個のＯＦＤＭシンボルである場合、最初のスロット内でのＣＲＳシーケンス生成は、現在ＣＲＳパターンと同様であるが、２番目のスロット内の最初ＯＦＤＭシンボルでのＣＲＳシーケンス生成は、２番目のスロット内の４番目ＯＦＤＭシンボルにしたがう。すなわち、部分サブフレームの最後ＯＦＤＭシンボルで使用されたＣＲＳシーケンスのみが２番目のスロット内の４番目ＯＦＤＭシンボルに基づくことができる。
【０１１５】
図２９は、本発明の実施形態に係る部分サブフレームに対するＣＲＳパターンのさらに他の例を見せる。図２９に示されたＣＲＳパターンは、最後ＣＲＳシーケンス、すなわち、２番目のスロット内の最初ＯＦＤＭシンボルのみがｌ＝４に続き、その後、２番目のスロットが出るということを除けば、図２５に示されたＣＲＳパターンと同様である。
【０１１６】
図３０は、本発明の実施形態に係る部分サブフレームに対するＣＲＳパターンのさらに他の例を見せる。図３０に示されたＣＲＳパターンは、最後ＣＲＳシーケンス、すなわち、最初のスロット内の６番目ＯＦＤＭシンボルのみがｌ＝４に続き、その後、２番目のスロットが出るということを除けば、図２６に示されたＣＲＳパターンと同様である。
【０１１７】
類似した接近方式がＤＭＲＳ（ｄｅｍｏｄｕｌａｔｉｏｎ  ＲＳ）のような他のＲＳに適用され得る。ＵＬ送信と同様に、チャネル感知による部分サブフレームがＵＬ送信のために使用される場合、部分サブフレームのサイズは、ＲＳパターンまたは開始ＯＦＤＭシンボル内の知られたシーケンスに基づいて探知され得る。例えば、ネットワークが２番目のスロット内のみでＤＭＲＳパターンを探知する場合、ネットワークは、部分サブフレーム（ＵＬ）が１つのスロットの期間を有することと仮定することができ（これが送信の開始である場合）、それに対し、ネットワークが両スロットで２つのＤＭＲＳを探知する場合、ネットワークは、ＵＬ送信に対する完全サブフレームを仮定することができるであろう。同様に、送信の最後に使用され得る部分サブフレームに対し、ネットワークが最初のスロット内のみでＤＭＲＳパターンを探知する場合、ネットワークは、部分サブフレーム（ＵＬ）が１つのスロットの期間を有することと仮定することができ、それに対し、ネットワークが両スロットで２つのＤＭＲＳを探知する場合、ネットワークは、部分サブフレームの長さが完全サブフレームであることと仮定することができるであろう。
【０１１８】
また、上記の説明は、主に１つまたは２つのＣＲＳアンテナポートに基づいて議論され、同じ概念がＣＲＳアンテナポート２及び３にも一般性を喪失せずに適用されることができる。
【０１１９】
特に、測定に対して、ＵＥがブラインド探知に基づいて測定を行う場合、測定の正確度が、ＲＳが送信されるサブフレームの個数だけでなく、干渉水準によって相当低下し得る。したがって、「実際送信または実際ＯＮサブフレーム」の指示がサブフレームで受信される場合には、少なくとも測定に対しては、ＵＥが予め数個のサブフレームを格納し、測定を行うことができる。例えば、ＵＥは、５ｍｓの加工されていないデータを格納し（測定のみのためのＲＳ  ＲＥだけでありうる）、その後に過ぎたサブフレーム等のサブフレームＯＮ／ＯＦＦのＬ１シグナリングに基づいて、ＵＥがＯＮ−サブフレーム（等）から一部データを取ることができる。類似した概念が、ＣＲＳまたはＣＳＩ−ＲＳ（ｃｈａｎｎｅｌ  ｓｔａｔｅ  ｉｎｆｏｒｍａｔｉｏｎ  ＲＳ）がフィードバックのために使用されるかと関係なく、ＣＳＩフィードバックにも適用され得る。全体データが巨大になり得るが、チャネル推定及び／又は追跡に対して使用されたＲＥを格納することが最小化され得る。したがって、ＵＥが認可されていない搬送波内の測定に対するデータを格納できるであろう。
【０１２０】
以下では、本発明の実施形態に係るＡＧＣ（ａｕｔｏｍａｔｉｃ  ｇａｉｎ  ｃｏｎｔｒｏｌ）定着問題の処理が記述される。ＵＥ  ＲＦ特性及び限界のため、１つの周波数で連続的なデータ受信がない場合には、ＵＥ  ＡＧＣが定着してデータ受信を準備するまで（周波数調律を仮定しなくても）ある程度の時間がかかるであろう。このようなＵＥ準備時間に影響を及ぼすことができる種々の要素がありうる。言い換えれば、ＵＥが現在のＬＴＥタイムライン要件（例えば、１ｍｓ以内のＰＤＳＣＨ復号化、４ｍｓ以内のＨＡＲＱ−ＡＣＫ準備等）内にＰＤＳＣＨの受信を始めることができるとき、媒体が時間Ｔ１に使用可能な場合、Ｔ０間に遅延がありうる。次は、ＵＥ準備時間に影響を及ぼすことができる構成要素の例である。
【０１２１】
・周波数切換時間：ＵＥが調律されずにＬＴＥ−Ｕ周波数またはＬＴＥ−Ｕ周波数がチャネル可用性によって変わり得る場合には、周波数切換時間が必要である。一般的に、これは、１ｍｓ付近と仮定される。
【０１２２】
・追跡遅延：時間／周波数追跡の結果を返還するために、わずかの遅延が仮定される。一般的に、これは、約１００ｕｓより小さい時間から数ｍｓに至ることができる。ＵＥがＰＣｅｌｌに対する周波数／時間追跡を行っていると仮定すれば、補正の時間が長くかからないことができる。このような場合に、これも０に仮定されることができる。
【０１２３】
・ＡＧＣ設定：これは、一般的に７０ｕｓ以上から数個のＯＦＤＭシンボルまでの時間がかかり得る。
【０１２４】
ＣＲＳが追跡及びＡＣＧ定着のために使用されることと仮定すれば、これは、実際データ送信が起こる前に、ＵＥが少なくとも数個のＯＦＤＭシンボルまたはサブフレームのＣＲＳを受信する必要があることを意味する。このようなギャップは「ＵＥ＿ＰＲＥＰ＿ＧＡＰ」と呼ぶことができる。ＵＥ設定や実現によって、必要とするギャップが異なり得る。したがって、最悪の場合のギャップが仮定され得るし、その後にデータ送信が、媒体が使用可能となった以来、最悪の場合のギャップ以後に発生し得る。このような場合に、ＵＥ準備を可能なようにするために、ＣＲＳのように必要な信号が送信される必要がありうる。説明の都合上、「ＡＣＴＩＶＥ  ＴＩＭＥ」は、媒体が遊休状態となった以後にｅＮＢがどの信号を送信できるときに定義されることができ、「ＩＮＡＣＴＩＶＥ  ＴＩＭＥ」は、媒体が忙しいか、調整または他の理由（等）によって使用できない場合のうちの１つにより、ｅＮＢがどの信号も送信できないときに定義されることができる。ＵＥ＿ＰＲＥＰ＿ＧＡＰの必要性も２つの連続したＡＣＴＩＶＥ  ＴＩＭＥ期間の間の間隔によって変わる。例えば、ｅＮＢが５ｍｓのような非常に短い時間の間ＩＮＡＣＴＩＶＥ  ＴＩＭＥにあるようになる場合、ＵＥ＿ＰＲＥＰ＿ＧＡＰに対する追加的な遅延が必要でないことがある。また、ＡＣＴＩＶＥ  ＴＩＭＥが、ＵＥが準備できない程度に非常に短い場合には、２つのＡＣＴＩＶＥ  ＴＩＭＥ間の期間が非常に短くても、ＵＥ＿ＰＲＥＰ＿ＧＡＰが必要でありうる。
【０１２５】
他の代案として、ＵＥ＿ＰＲＥＰ＿ＧＡＰの必要性がＤＲＳ送信または他の共通のデータスケジューリングをさらに含むことができる特定のＵＥへの実際スケジューリング間の間隔に基づいて決定されることができる。言い換えれば、ＵＥが印加された搬送波により助けられてスケジューリングされるときにのみチャネルを読もうと試みる場合、ギャップの必要性は、ネットワークの観点よりはＵＥの観点からみた非活性化タイマーに基づいて決定されることができる。説明を簡単にするために、２つの連続したスケジューリング間隔間のギャップがＴｍｓ／サブフレームより大きい場合には、ギャップを常に仮定することができる。また、ＵＥがＤＲＸからまたはＩＤＬＥから起きるとき、このようなギャップが必要なことと仮定することができる。ＤＲＸと関連して、ＵＥに対して設定されたＤＲＸサイクルによってＤＲＸが触発され得る。ＡＣＴＩＶＥ  ＴＩＭＥ期間及びＩＮＡＣＴＩＶＥ  ＴＩＭＥ期間／発生が動的に変化する場合、ＵＥ性能を保障するために、次の事項が考慮され得る。
【０１２６】
・選択１：ＡＣＴＩＶＥ  ＴＩＭＥの１つの場合が、ＵＥ＿ＰＲＥＰ＿ＧＡＰの最悪の場合より小さくないことができる。言い換えれば、ＵＥが１つのＡＣＴＩＶＥ＿ＴＩＭＥ場合に必要な機能を果たすことができなければならない。例えば、最悪のギャップのサイズが２ｍｓである場合、ＡＣＴＩＶＥ  ＴＩＭＥ期間は２ｍｓより大きくなければならない。ＵＥへのデータがあるか、ＵＥが測定を行う必要がある場合、ネットワークが媒体を取得したら、ネットワークは、ＵＥが必要な機能を果たすことができるように、２ｍｓが越える時間の間、信号を送信しなければならない。
【０１２７】
・選択２：前記選択１が確実でない場合には、追跡及びＡＧＣ定着を失わないために、２つの連続的なＡＣＴＩＶＥ＿ＴＩＭＥ間の間隔が許容可能なギャップより小さくなければならない。例えば、ＴＤＤ  ＤＬ／ＵＬ設定０でのように、ＡＣＴＩＶＥ  ＴＩＭＥ間の期間が５ｍｓより小さい場合、ＵＥは、問題なく追跡及びＡＧＣを維持できるであろう。このような場合に、ＡＣＴＩＶＥ  ＴＩＭＥは（１ｍｓのように）、非常に短いことができる。
【０１２８】
競争基盤の媒体接近メカニズムを介して選択２を保障することが容易に達成され得ないことがあるので、選択１に重点をおくようになる。都合上、１つのＡＣＴＩＶＥ  ＴＩＭＥの最小期間として５ｍｓを仮定する（すなわち、ネットワークが活性化されれば、少なくとも５ｍｓ間、ＡＣＴＩＶＥ状態にあるようになる）。ＡＣＴＩＶＥ  ＴＩＭＥの間に、ＰＤＳＣＨ送信と関連して、ＰＤＳＣＨ送信が常にＵＥ＿ＰＲＥＰ＿ＧＡＰ以後に始まるか、ＰＤＳＣＨ送信がＡＣＴＩＶＥ  ＴＩＭＥ中、いつでも始まることができる。ＰＤＳＣＨ送信が常にＵＥ＿ＰＲＥＰ＿ＧＡＰ以後に始まると、システム資源が浪費されることが明確である。また、ＵＥ＿ＰＲＥＰ＿ＧＡＰをどのように決定するかが問題になる。最悪のギャップが使用される場合、スペクトルに対する効率が相当低下するであろう。したがって、ネットワークがＰＤＳＣＨをＵＥに送信する前に当該量を留保しておくことができるように、ＵＥがネットワークに要求されるＵＥ＿ＰＲＥＰ＿ＧＡＰを知らせなければならない。
【０１２９】
ＰＤＳＣＨ送信が現在のＵＥ行為を変化させずに、ＡＣＴＩＶＥ  ＴＩＭＥ中にいつでも始まると、ＵＥは、最初の幾つのＯＦＤＭシンボルまたはサブフレーム（ＵＥ＿ＰＲＥＰ＿ＧＡＰ時間）途中にＰＤＳＣＨを受信しないことができる。これは、使用者性能に対しても相当な影響を及ぼすことができる。したがって、ＵＥがデータをバッファリングし、準備されるまで処理を遅延させることが提案され得る。例えば、ＵＥ＿ＰＲＥＰ＿ＧＡＰが２ｍｓであれば、ＵＥが加工されていないデータを２ｍｓ間バッファリングすることができる。しかし、ＡＧＣが定着されないか、周波数切換が起こらない場合には、これを適用できない。したがって、少なくともＡＧＣ／周波数に対しては、切換時間（必要な場合）が考慮され得るし、以下では、これについて記述する。
【０１３０】
追跡のための目的で、ＵＥは、加工されていない（ｒａｗ）データを格納することができ、その後にＵＥ＿ＰＲＥＰ＿ＧＡＰ遅延のために、ＵＥ処理を遅延させることができる。ＵＥ処理時間所要資源を減らすために、ＨＡＲＱ−ＡＣＫタイミングがＵＥ＿ＰＲＥＰ＿ＧＡＰ遅延＋現在ＨＡＲＱ−ＡＣＫ所要資源に移転され得る。例えば、ＦＤＤモードで、２ｍｓのＵＥ＿ＰＲＥＰ＿ＧＡＰを仮定してＨＡＲＱ−ＡＣＫタイミングがｎ番目のサブフレームで送信されるＰＤＳＣＨに対してｎ＋６に移転され得る。このような移転値は、最悪の場合に基づいて事前固定されることができ、したがって、ＬＴＥ−Ｕ搬送波によりサービスを受けるＵＥは、ＵＥ＿ＰＲＥＰ＿ＧＡＰと関係なく、新しい処理時間所要資源によってＨＡＲＱ−ＡＣＫを送信できる。それとも、ＵＥがＨＡＲＱ−ＡＣＫタイミングの遅延を要請できる。ＭがＵＥ＿ＰＲＥＰ＿ＧＡＰを処理するための遅延であると仮定すれば、ＦＤＤでのＨＡＲＱ−ＡＣＫタイミングは、ｎ番目のサブフレームで送信されたＰＤＳＣＨに対してｎ＋４＋ｍになることができる。ＴＤＤで、ｎ番目のサブフレームで送信されたＨＡＲＱ−ＡＣＫは、ｎ−ｋ−ｍ番目のサブフレームで送信されたＰＤＳＣＨに対してＨＡＲＱ−ＡＣＫ（等）を含むことができる（このとき、ｋは、ＴＤＤ構成のための現在規格で定義される）。ＴＤＤ／ＦＤＤ  ＣＡの場合に対しては、同じ概念が新しいＨＡＲＱタイミングに適用され得る。
【０１３１】
また、追跡だけでなく、スケジューリング複雑度と電力効率を助けるために、データが次のうち、少なくとも１つの情報を含むことができるＤＲＳとしてスケジューリングされることを考慮できる。
【０１３２】
・ＤＣＩ指示子：ＤＲＳは、現在のＤＲＳ及び次のＤＲＳの場合の間でスケジューリングされるか否かを含む情報を含むことができる。可能なＵＥがあまり多いので、これを表すために、ＵＥをＣ−ＲＮＴＩ（ｃｅｌｌ  ｒａｄｉｏ  ｎｅｔｗｏｒｋ  ｔｅｍｐｏｒａｒｙ  ｉｄｅｎｔｉｆｉｅｒ）または他の手段のうちの１つに基づいてグループ化することができる。ＬＴＥ−Ｕを介して送信された場合の共通データは、別の指示を有することができる。ＵＥが次の場合に、当該ＵＥに対して意図されたスケジューリングがないことを発見するようになると、次のＤＲＳが発生するまでの期間の間、制御チャネルの読み出しを省略しようとすることができる。これはまた、一部マルチキャスト、ブロードキャストトラフィック情報も含む。
【０１３３】
・測定ＲＳ：測定のために使用され得るＲＳがＤＲＳまたはＤＲＳと連関されるか、これと共に送信されたデータ／制御チャネルに含まれることができる。
【０１３４】
・マルチキャストトラフィック制御情報：ＳＩＢ−１３と同様に、マルチキャスティングと関連した情報がＤＲＳとともにブロードキャストされ得る。
【０１３５】
・追跡ＲＳ：追跡のために使用され得るＲＳがＤＲＳまたはＤＲＳと連関されるか、これと共に送信されたデータ／制御チャネルに含まれることができる。これは、測定ＲＳと同じでありうるし、そうでないこともある。
【０１３６】
周波数切換遅延を処理するために、ＵＥが活性化手順のように、ＬＴＥ−Ｕでデータ受信を準備することが要求され得る。ＵＥがＬＴＥ−Ｕ搬送波をＳＣｅｌｌとして活性化されれば、ＵＥは、周波数切換遅延が発生しないように周波数切換を行うことができる。ＡＧＣ問題を処理するために、ＵＥは、ＰＤＳＣＨ送信前に約１のＣＲＳ  ＯＦＤＭシンボル送信（または、プリアンブルのようにＡＧＣ定着のための他の信号）を仮定できる。このために、ＵＥは、ＰＤＳＣＨがＬＴＥ−Ｕ搬送波のｎ番目のサブフレームから送信される場合に、少なくともｎ−１番目のサブフレームの最後ＯＦＤＭシンボルで信号送信があることと仮定することができる。または、ＵＥは、必要なときに第１のＯＦＤＭシンボルを読まないことができることと仮定することができる。このような場合は、必要であれば、ＡＣＴＩＶＥ  ＴＩＭＥの第１のサブフレームに制限されることができる。ＡＧＣが幾つ以上のＯＦＤＭシンボルを要求する場合には、これを数個のＯＦＤＭシンボルに一般化することができる。
【０１３７】
図３１は、本発明の実施形態が実現される無線通信システムを示す。
【０１３８】
ｅＮＢ（８００）は、プロセッサ（ｐｒｏｃｅｓｓｏｒ；８１０）、メモリ（ｍｅｍｏｒｙ；８２０）、及び送受信部８３０を備えることができる。プロセッサ８１０は、本明細書において説明された機能、過程、及び／又は方法を実現するように構成されることができる。無線インターフェースプロトコルの層は、プロセッサ８１０により実現されることができる。メモリ８２０は、プロセッサ８１０と連結されて、プロセッサ８１０を駆動するための様々な情報を格納する。送受信部８３０は、プロセッサ８１０と連結されて、無線信号を送信及び／又は受信する。
【０１３９】
ＵＥ（９００）は、プロセッサ９１０、メモリ９２０、及び送受信部９３０を備えることができる。プロセッサ９１０は、本明細書において説明された機能、過程、及び／又は方法を実現するように構成されることができる。無線インターフェースプロトコルの層は、プロセッサ９１０により実現されることができる。メモリ９２０は、プロセッサ９１０と連結されて、プロセッサ９１０を駆動するための様々な情報を格納する。送受信部９３０は、プロセッサ９１０と連結されて、無線信号を送信及び／又は受信する。
【０１４０】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。送受信部８３０、９３０は、無線周波数信号を処理するためのベースバンド回路を備えることができる。実施形態がソフトウェアで実現されるとき、前述した技法は、前述した機能を果たすモジュール(過程、機能など)で実現されることができる。モジュールは、メモリ８２０、９２０に格納され、プロセッサ８１０、９１０により実行されることができる。メモリ８２０、９２０は、プロセッサ８１０、９１０の内部または外部にありうるし、よく知られた様々な手段でプロセッサ８１０、９１０と連結されることができる。
【０１４１】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の１つまたはそれ以上のステップが本発明の範囲に影響を及ぼさずに削除可能であることを理解することができる。
【図１】
2017526210.tif 000003
【図２】
2017526210.tif 000004
【図３】
2017526210.tif 000005
【図４】
2017526210.tif 000006
【図５】
2017526210.tif 000007
【図６】
2017526210.tif 000008
【図７】
2017526210.tif 000009
【図８】
2017526210.tif 000010
【図９】
2017526210.tif 000011
【図１０】
2017526210.tif 000012
【図１１】
2017526210.tif 000013
【図１２】
2017526210.tif 000014
【図１３】
2017526210.tif 000015
【図１４】
2017526210.tif 000016
【図１５】
2017526210.tif 000017
【図１６】
2017526210.tif 000018
【図１７】
2017526210.tif 000019
【図１８】
2017526210.tif 000020
【図１９】
2017526210.tif 000021
【図２０】
2017526210.tif 000022
【図２１】
2017526210.tif 000023
【図２２】
2017526210.tif 000024
【図２３】
2017526210.tif 000025
【図２４】
2017526210.tif 000026
【図２５】
2017526210.tif 000027
【図２６】
2017526210.tif 000028
【図２７】
2017526210.tif 000029
【図２８】
2017526210.tif 000030
【図２９】
2017526210.tif 000031
【図３０】
2017526210.tif 000032
【図３１】
2017526210.tif 000033
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
無線通信システムにおいて、端末（ＵＥ；ｕｓｅｒ  ｅｑｕｉｐｍｅｎｔ）が、認可されていない搬送波でダウンリンク信号を受信する方法であって、
前記認可されていない搬送波に対するサブフレーム設定を受信することと、
前記認可されていない搬送波に対する前記サブフレーム設定により設定された少なくとも１つのサブフレームを介して前記認可されていない搬送波でダウンリンク信号を受信することとを含み、
前記少なくとも１つのサブフレームは、最初のサブフレームで一部ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの一部のみを占有する部分サブフレーム及び２番目のサブフレームでＯＦＤＭシンボルの全てを占有する完全サブフレームを含み、
前記完全サブフレームは、前記部分サブフレームの直後に位置する、方法。
【請求項２】
前記認可されていない搬送波に対する前記サブフレーム設定は、ＤＣＩ（ｄｏｗｎｌｉｎｋ  ｃｏｎｔｒｏｌ  ｉｎｆｏｒｍａｔｉｏｎ）を介して受信される、請求項１に記載の方法。
【請求項３】
前記部分サブフレームは、前記最初のサブフレームの最初のスロット内のＯＦＤＭシンボルを占有しない、請求項１に記載の方法。
【請求項４】
前記部分サブフレームは、参照信号（ＲＳ；ｒｅｆｅｒｅｎｃｅ  ｓｉｇｎａｌ）に基づいてブラインド探知される、請求項１に記載の方法。
【請求項５】
前記ＲＳは、ＣＲＳ（ｃｅｌｌ−ｓｐｅｃｉｆｉｃ  ＲＳ）またはＵＥに特定のＲＳである、請求項４に記載の方法。
【請求項６】
無線通信システムにおける端末（ＵＥ；ｕｓｅｒ  ｅｑｕｉｐｍｅｎｔ）であって、
メモリと、
送受信部と、
前記メモリ及び前記送受信部に連結されるプロセッサと、
を備え、
前記プロセッサーは、
認可されていない搬送波に対するサブフレーム設定を受信するように前記送受信部を制御し、
前記認可されていない搬送波に対する前記サブフレーム設定により設定された少なくとも１つのサブフレームを介して前記認可されていない搬送波でダウンリンク信号を受信するように前記送受信部を制御し、
前記少なくとも１つのサブフレームは、最初のサブフレームで一部ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルのみを占有する部分サブフレーム及び２番目のサブフレームで全てのＯＦＤＭシンボルを占有する完全サブフレームを含み、
前記完全サブフレームは、前記部分サブフレームの直後に位置する、端末。
【請求項７】
前記認可されていない搬送波に対する前記サブフレーム設定は、ＤＣＩ（ｄｏｗｎｌｉｎｋ  ｃｏｎｔｒｏｌ  ｉｎｆｏｒｍａｔｉｏｎ）を介して受信される、請求項６に記載の端末。
【請求項８】
前記部分サブフレームは、前記最初のサブフレームの最初のスロット内のＯＦＤＭシンボルを占有しない、請求項６に記載の端末。
【請求項９】
前記部分サブフレームは、参照信号（ＲＳ；ｒｅｆｅｒｅｎｃｅ  ｓｉｇｎａｌ）に基づいてブラインド探知される、請求項６に記載の端末。
【請求項１０】
前記ＲＳは、ＣＲＳ（ｃｅｌｌ−ｓｐｅｃｉｆｉｃ  ＲＳ）またはＵＥに特定のＲＳである、請求項９に記載の端末。
【国際調査報告】
2017526210.tif 000034
2017526210.tif 000035